(57)【要約】【課題】ビデオ信号再生装置において、スキップ途中の映像がディスプレイに表示されないため、視聴者はスキップ先の位置が希望する再生開始位置か否かを判別しにくい。【解決手段】映像データを記録する記録部と、視聴者の操作によりスキップ再生指示入力を受け付ける操作部と、操作部に入力されたスキップ再生指示入力に基づいて入力時の再生時刻から予め定められた時間スキップしたスキップ時刻及びスキップ時刻の予め定められた時間の前後の時刻とを算出する算出部と、記録部に記録され算出部が算出したスキップ時刻に対応する映像データ及び記録部に記録され算出部が算出したスキップ時刻の前後の時刻に対応する映像データを外部の映像表示装置に表示するために出力する出力部とを備える。【選択図】      図１
2005253039.tif 000002
【特許請求の範囲】
【請求項１】
映像データを記録する記録部と、視聴者の操作によりスキップ再生指示入力を受け付ける操作部と、前記操作部に入力された前記スキップ再生指示入力に基づいて入力時の再生時刻から予め定められた時間スキップしたスキップ時刻及び前記スキップ時刻に対し予め定められた時間の前後の時刻とを算出する算出部と、前記記録部に記録され前記算出部が算出した前記スキップ時刻に対応する映像データ及び前記記録部に記録され前記算出部が算出した前記スキップ時刻に対し予め定められた時間の前後の時刻に対応する映像データを表示するために出力する出力部とを備えることを特徴とするビデオ信号再生装置。
【請求項２】
ビデオ信号を符号化するエンコーダと、前記エンコーダが符号化したデータを記録すると共に記録したデータを読み出す記録再生部と、前記記録再生部から読み出されたデータを復号するデコーダと、前記デコーダが復号したビデオ信号を出力するビデオ信号出力部と、視聴者からの指示に対応する指示信号を出力する操作部と、前記操作部から出力されたスキップ再生の指示信号に基づいて第１スキップ時刻及び前記第１スキップ時刻に対し予め定めた時間経過した第２スキップ時刻と前記第１スキップ時刻に対し予め定めた時間前の第３スキップ時刻とを演算し、前記記録再生部から前記第１スキップ時刻及び前記第２スキップ時刻及び前記第３スキップ時刻に対応するデータを読み出して前記デコーダにより復号し、前記第１スキップ時刻の第１ビデオ信号及び前記第２スキップ時刻の第２ビデオ信号及び前記第３スキップ時刻の第３ビデオ信号を備えた合成ビデオ信号を生成して前記ビデオ信号出力部から出力する制御を行う制御部とを備えることを特徴とするビデオ信号再生装置。
【請求項３】
ビデオ信号を符号化するエンコーダと、前記エンコーダが符号化したデータを記録すると共に記録したデータを読み出す記録再生部と、前記記録再生部から読み出されたデータを復号するデコーダと、出力用バッファメモリを備えスキップ再生時に複数のビデオ信号を備えた合成ビデオ信号を生成し前記合成ビデオ信号を出力するビデオ信号出力部と、視聴者からの指示に対応する指示信号を出力する操作部と、前記操作部から出力されたスキップ再生の指示信号に基づいて第１スキップ時刻及び前記第１スキップ時刻に対し再生時刻が予め定めた時間経過した第２スキップ時刻と前記第１スキップ時刻に対し再生時刻が予め定めた時間前の第３スキップ時刻とを演算し、前記記録再生部から前記第２スキップ時刻及び前記第３スキップ時刻に対応するデータを読み出して前記デコーダにより復号し、復号した第２ビデオ信号及び第３ビデオ信号を前記出力用バッファメモリに記憶し、前記記録再生部から前記第１スキップ時刻から連続してデータを順次読み出して前記デコーダにより復号し、復号した第１ビデオ信号を前記ビデオ信号出力部に出力し、前記出力用バッファメモリから前記第２ビデオ信号及び前記第３ビデオ信号を繰り返し読み出し前記第１ビデオ信号と同時に表示させる前記合成ビデオ信号を生成し前記ビデオ信号出力部から前記合成ビデオ信号を出力する制御を行う制御部とを備えることを特徴とするビデオ信号再生装置。
【請求項４】
請求項３記載のビデオ信号再生装置において、前記制御部は、前記第１ビデオ信号の再生時刻が前記第１スキップ時刻から前記第２スキップ時刻に達するまでの間に前記操作部から指示信号の入力がない場合又は前記第１ビデオ信号を再生する指示信号の入力があった場合、前記ビデオ信号出力部から出力するビデオ信号を前記合成ビデオ信号から前記第１ビデオ信号のみに切り替えて出力させる制御を行うことを特徴とするビデオ信号再生装置。
【請求項５】
請求項３記載のビデオ信号再生装置において、前記制御部は、前記第１ビデオ信号の再生時刻が前記第１スキップ時刻から前記第２スキップ時刻に達するまでの間に前記操作部から前記第２ビデオ信号又は第３ビデオ信号を選択し再生する指示信号の入力があった場合、前記記録再生部から選択された前記第２スキップ時刻又は前記第３スキップ時刻から連続してデータを読み出し前記デコーダにより復号し、復号したビデオ信号を前記ビデオ信号出力部から出力させる制御を行うことを特徴とするビデオ信号再生装置。
【請求項６】
ビデオ信号を符号化するエンコーダと、前記エンコーダが符号化したデータを記録すると共に記録したデータを読み出す記録再生部と、前記記録再生部から読み出されたデータを復号するデコーダと、出力用バッファメモリを備えスキップ再生時に複数のビデオ信号を備えた合成ビデオ信号を生成し前記合成ビデオ信号を出力するビデオ信号出力部と、視聴者からの指示に対応する指示信号を出力する操作部と、前記操作部から出力されたスキップ再生の指示信号に基づいて第１スキップ時刻及び前記第１スキップ時刻に対し再生時刻が予め定めた時間経過した第２スキップ時刻と前記第１スキップ時刻に対し再生時刻が予め定めた時間前の第３スキップ時刻とを演算し、前記記録再生部から前記第１スキップ時刻及び前記第２スキップ時刻及び前記第３スキップ時刻に対応するデータを読み出して前記デコーダにより復号し、復号した第１ビデオ信号及び第２ビデオ信号及び第３ビデオ信号を前記出力用バッファメモリに記憶させ、前記出力用バッファメモリから前記第１ビデオ信号及び前記第２ビデオ信号及び前記第３ビデオ信号を繰り返し読み出し前記第１ビデオ信号及び前記第２ビデオ信号及び前記第３ビデオ信号を静止画として同時に表示させる合成ビデオ信号を生成し、前記ビデオ信号出力部から前記合成ビデオ信号を出力する制御を行う制御部とを備えることを特徴とするビデオ信号再生装置。
【請求項７】
請求項６記載のビデオ信号再生装置において、前記制御部は、前記合成ビデオ信号を前記ビデオ信号出力部から出力した後に予め定めた時間を計測するタイマを備え、前記ビデオ信号出力部から前記合成ビデオ信号を出力した後に予め定めた時間経過する間に前記操作部から指示信号の入力がない場合、前記記録再生部から第１スキップ時刻から連続するデータを順次読み出し復号し、前記ビデオ信号出力部から復号したビデオ信号を出力する制御を行うことを特徴とするビデオ信号再生装置。
【請求項８】
請求項６記載のビデオ信号再生装置において、前記制御部は、前記合成ビデオ信号を前記ビデオ信号出力部から出力した後に予め定めた時間を計測するタイマを備え、前記ビデオ信号出力部から前記合成ビデオ信号を出力した後に予め定めた時間経過する間に前記操作部から前記第１ビデオ信号又は前記第２ビデオ信号又は第３ビデオ信号を選択し再生する指示信号の入力があった場合、前記記録再生部から選択された前記第１スキップ時刻又は前記第２スキップ時刻又は前記第３スキップ時刻から連続してデータを読み出し復号し、復号したビデオ信号を前記ビデオ信号出力部から出力する制御を行うことを特徴とするビデオ信号再生装置。
【請求項９】
映像データを記録する記録部と、視聴者の操作によりスキップ再生指示入力を受け付ける操作部と、前記操作部に入力された前記スキップ再生指示入力に基づいて入力時の再生時刻から予め定められた時間スキップしたスキップ時刻及び前記スキップ時刻に対して予め定められた時間前或いは後の時刻を算出する算出部と、前記記録部に記録され前記算出部が算出した前記スキップ時刻に対応する映像データ及び前記記録部に記録され前記算出部が算出した前記スキップ時刻に対して予め定められた時間前或いは後の時刻に対応する映像データを外部の映像表示装置に表示するために出力する出力部とを備えることを特徴するビデオ信号再生装置。
【請求項１０】
ビデオ信号を符号化するエンコーダと、前記エンコーダが符号化したデータを記録すると共に記録したデータを読み出す記録再生部と、前記記録再生部から読み出されたデータを復号するデコーダと、前記デコーダが復号したビデオ信号を出力するビデオ信号出力部と、視聴者からの指示に対応する指示信号を出力する操作部と、前記操作部から出力されたスキップ再生の指示信号に基づいて第１スキップ時刻及び前記第１スキップ時刻に対し予め定めた時間経過した第２スキップ時刻を演算し、前記記録再生部から前記第１スキップ時刻及び前記第２スキップ時刻に対応するデータを読み出して前記デコーダにより復号し、前記第１スキップ時刻の第１ビデオ信号及び前記第２スキップ時刻の第２ビデオ信号を備えた合成ビデオ信号を生成して前記ビデオ信号出力部から出力する制御を行う制御部とを備えることを特徴とするビデオ信号再生装置。
【請求項１１】
ビデオ信号を符号化するエンコーダと、前記エンコーダが符号化したデータを記録すると共に記録したデータを読み出す記録再生部と、前記記録再生部から読み出されたデータを復号するデコーダと、前記デコーダが復号したビデオ信号を出力するビデオ信号出力部と、視聴者からの指示に対応する指示信号を出力する操作部と、前記操作部から出力されたバックスキップ再生の指示信号に基づいて第１バックスキップ時刻及び前記第１バックスキップ時刻に対し予め定めた時間前の第２バックスキップ時刻を演算し、前記記録再生部から前記第１バックスキップ時刻及び前記第２バックスキップ時刻に対応するデータを読み出して前記デコーダにより復号し、前記第１バックスキップ時刻の第１ビデオ信号及び前記第２バックスキップ時刻の第２ビデオ信号を備えた合成ビデオ信号を生成して前記ビデオ信号出力部から出力する制御を行う制御部とを備えることを特徴とするビデオ信号再生装置。
【請求項１２】
ビデオ信号を符号化するエンコーダと、前記エンコーダが符号化したデータを記録すると共に記録したデータを読み出す記録再生部と、前記記録再生部から読み出されたデータを復号するデコーダと、前記デコーダが復号したビデオ信号を出力するビデオ信号出力部と、視聴者からの指示に対応する指示信号を出力する操作部と、前記操作部から出力されたバックスキップ再生の指示信号に基づいて第１バックスキップ時刻及び前記第１バックスキップ時刻に対し予め定めた時間前の第２バックスキップ時刻並びに前記第１バックスキップ時刻に対し予め定めた時間経過した第３バックスキップ時刻を演算し、前記記録再生部から前記第１バックスキップ時刻及び前記第２バックスキップ時刻及び第３バックスキップ時刻に対応するデータを読み出して前記デコーダにより復号し、前記第１バックスキップ時刻の第１ビデオ信号及び前記第２バックスキップ時刻の第２ビデオ信号及び第３バックスキップ時刻の第３ビデオ信号を備えた合成ビデオ信号を生成して前記ビデオ信号出力部から出力する制御を行う制御部とを備えることを特徴とするビデオ信号再生装置。
【請求項１３】
ビデオ信号を符号化するエンコーダと、前記エンコーダが符号化したデータを記録すると共に記録したデータを読み出す記録再生部と、前記記録再生部から読み出されたデータを復号するデコーダと、出力用バッファメモリを備えスキップ再生時またはバックスキップ再生時に複数のビデオ信号を備えた合成ビデオ信号を生成し前記合成ビデオ信号を出力するビデオ信号出力部と、視聴者からの指示に対応する指示信号を出力する操作部と、前記操作部から出力されたスキップ再生またはバックスキップ再生の指示信号に基づいて第１スキップ時刻と前記第１スキップ時刻に対し再生時刻が予め定めた時間経過した第２スキップ時刻又は第１バックスキップ時刻と前記第１バックスキップ時刻に対し予め定めた時間前の第２バックスキップ時刻を演算し、前記記録再生部から前記第２スキップ時刻又は第２バックスキップ時刻に対応するデータを読み出して前記デコーダにより復号し、復号した第２ビデオ信号を前記出力用バッファメモリに記憶し、前記記録再生部から前記第１スキップ時刻から連続してデータを順次読み出して前記デコーダにより復号し、復号した第１ビデオ信号を前記ビデオ信号出力部に出力し、前記出力用バッファメモリから前記第２ビデオ信号を繰り返し読み出し前記第１ビデオ信号と同時に表示させる前記合成ビデオ信号を生成し前記ビデオ信号出力部から前記合成ビデオ信号を出力する制御を行う制御部とを備えることを特徴とするビデオ信号再生装置。
【請求項１４】
請求項１３記載のビデオ信号再生装置において、前記制御部は、前記第１ビデオ信号の再生時刻が前記第１スキップ時刻から前記第２スキップ時刻に達するまでの間に前記操作部から指示信号の入力がない場合又は前記第１ビデオ信号を再生する指示信号の入力があった場合、前記ビデオ信号出力部から出力するビデオ信号を前記合成ビデオ信号から前記第１ビデオ信号のみに切り替えて出力させる制御を行うことを特徴とするビデオ信号再生装置。
【請求項１５】
請求項１３記載のビデオ信号再生装置において、前記制御部は、前記第１ビデオ信号の再生時刻が前記第１バックスキップ時刻から予め定めた時間経過した時刻に達するまでの間に前記操作部から指示信号の入力がない場合又は前記第１ビデオ信号を再生する指示信号の入力があった場合、前記ビデオ信号出力部から出力するビデオ信号を前記合成ビデオ信号から前記第１ビデオ信号のみに切り替えて出力させる制御を行うことを特徴とするビデオ信号再生装置。
【請求項１６】
請求項１３記載のビデオ信号再生装置において、前記制御部は、前記第１ビデオ信号の再生時刻が前記第１スキップ時刻から前記第２スキップ時刻に達するまでの間に前記操作部から前記第２ビデオ信号を選択し再生する指示信号の入力があった場合、前記記録再生部から選択された前記第２スキップ時刻から連続してデータを読み出し前記デコーダにより復号し、復号したビデオ信号を前記ビデオ信号出力部から出力させる制御を行うことを特徴とするビデオ信号再生装置。
【請求項１７】
請求項１３記載のビデオ信号再生装置において、前記制御部は、前記第１ビデオ信号の再生時刻が前記第１バックスキップ時刻から予め定めた時間経過した時刻に達するまでの間に前記操作部から前記第２ビデオ信号を選択し再生する指示信号の入力があった場合、前記記録再生部から選択された前記第２バックスキップ時刻から連続してデータを読み出し前記デコーダにより復号し、復号したビデオ信号を前記ビデオ信号出力部から出力させる制御を行うことを特徴とするビデオ信号再生装置。
【請求項１８】
ビデオ信号を符号化するエンコーダと、前記エンコーダが符号化したデータを記録すると共に記録したデータを読み出す記録再生部と、前記記録再生部から読み出されたデータを復号するデコーダと、出力用バッファメモリを備えスキップ再生時又はバックスキップ再生時に複数のビデオ信号を備えた合成ビデオ信号を生成し前記合成ビデオ信号を出力するビデオ信号出力部と、視聴者からの指示に対応する指示信号を出力する操作部と、前記操作部から出力されたスキップ再生またはバックスキップ再生の指示信号に基づいて第１スキップ時刻と前記第１スキップ時刻に対し再生時刻が予め定めた時間経過した第２スキップ時刻または第１バックスキップ時刻と前記第１バックスキップ時刻に対し再生時刻が予め定めた時間前の第２バックスキップ時刻を演算し、前記記録再生部から前記第１スキップ時刻と前記第２スキップ時刻または第１バックスキップ時刻と第２バックスキップ時刻に対応するデータを読み出して前記デコーダにより復号し、復号した第１ビデオ信号及び第２ビデオ信号を前記出力用バッファメモリに記憶させ、前記出力用バッファメモリから前記第１ビデオ信号及び前記第２ビデオ信号を繰り返し読み出し前記第１ビデオ信号及び前記第２ビデオ信号を静止画として同時に表示させる合成ビデオ信号を生成し、前記ビデオ信号出力部から前記合成ビデオ信号を出力する制御を行う制御部とを備えることを特徴とするビデオ信号再生装置。
【請求項１９】
請求項１８記載のビデオ信号再生装置において、前記制御部は、前記合成ビデオ信号を前記ビデオ信号出力部から出力した後に予め定めた時間を計測するタイマを備え、前記ビデオ信号出力部から前記合成ビデオ信号を出力した後に予め定めた時間経過する間に前記操作部から指示信号の入力がない場合、前記記録再生部から前記第１バックスキップ時刻から連続するデータを順次読み出し復号し、前記ビデオ信号出力部から復号したビデオ信号を出力する制御を行うことを特徴とするビデオ信号再生装置。
【請求項２０】
請求項１８記載のビデオ信号再生装置において、前記制御部は、前記合成ビデオ信号を前記ビデオ信号出力部から出力した後に予め定めた時間を計測するタイマを備え、前記ビデオ信号出力部から前記合成ビデオ信号を出力した後に予め定めた時間経過する間に前記操作部から前記第１ビデオ信号又は前記第２ビデオ信号を選択し再生する指示信号の入力があった場合、前記記録再生部から選択された前記第１スキップ時刻又は前記第２スキップ時刻或いは第１バックスキップ時刻又は第２バックスキップ時刻から連続してデータを読み出し復号し、復号したビデオ信号を前記ビデオ信号出力部から出力する制御を行うことを特徴とするビデオ信号再生装置。
【請求項２１】
請求項１、２、３及び６記載のビデオ信号再生装置において、前記制御部は、算出した前記第２スキップ時刻が前記記録再生部に記録されたデータの最後の位置の時刻よりも後の場合は、前記第２ビデオ信号を前記ビデオ信号出力部から出力しない制御をすることを特徴とするビデオ信号再生装置。
【請求項２２】
請求項９，１１及び１２記載のビデオ信号再生装置において、前記制御部は、算出した前記第２バックスキップ時刻が前記記録再生部に記録されたデータの最初の位置の時刻よりも前の場合は、前記第２ビデオ信号を前記ビデオ信号出力部から出力しない制御をすることを特徴とするビデオ信号再生装置。
【請求項２３】
映像データを記録するステップと、視聴者の操作によりスキップ再生指示入力を受け付けるステップと、入力された前記スキップ再生指示入力に基づいて入力時の再生時刻から予め定められた時間スキップしたスキップ時刻と前記スキップ時刻に対して予め定められた時間前及び後の時刻とを算出するステップと、算出した前記スキップ時刻に対応する記録された映像データと算出した前記スキップ時刻に対して予め定められた時間前及び後の時刻に対応する記録された映像データを表示するために出力するステップとを備えることを特徴とするビデオ信号再生方法。
【請求項２４】
映像データを記録するステップと、視聴者の操作によりスキップ再生指示入力を受け付けるステップと、入力された前記スキップ再生指示入力に基づいて入力時の再生時刻から予め定められた時間スキップしたスキップ時刻及び前記スキップ時刻に対して予め定められた時間前或いは後の時刻を算出するステップと、算出した前記スキップ時刻に対応する映像データおよび算出した前記スキップ時刻に対して予め定められた時間前或いは後の時刻に対応する映像データを表示するために出力するステップとを備えることを特徴とするビデオ信号再生方法。
【発明の詳細な説明】
【技術分野】
【０００１】
本発明は、ビデオ信号を再生するビデオ信号再生装置及びビデオ再生方法に関する。
【背景技術】
【０００２】
近年、ビデオ信号を再生するビデオ信号再生装置として、デジタル・バーサタイル・ディスク（Digital Versatile Disc：ＤＶＤ）を記録媒体としたＤＶＤレコーダ、ハードディスクを記録媒体としたハードディスクレコーダが普及しつつある。
【０００３】
ＤＶＤレコーダやハードディスクレコーダは、高速なアクセスが可能であるため、予め定めた時間を飛び越して再生するスキップ再生を行う場合には、従来のビデオテーププレーヤの早送り・早戻し再生と異なり、短時間でスキップ先の位置からビデオ信号の再生ができる。このようなスキップ再生は、テレビジョン放送の番組を記録し再生する場合に、番組中に放送されるコマーシャルを飛ばして再生するコマーシャルスキップ再生にも適用される。このようなスキップ機能を備えた装置として、特許文献１に開示されている画像記録再生装置がある。
【０００４】
特許文献１に開示されている画像記録再生装置は、テレビジョン放送による映像信号を受信し、その映像信号を記録媒体に記録し、記録した映像信号を再生する際に、視聴者がリモコン等を用いてスキップ再生の指示を入力することにより、テレビジョン放送の番組に含まれるコマーシャル部分を飛ばして（スキップして）再生するスキップ機能を備えている。
【０００５】
特許文献１に開示されている画像記録再生装置は、コマーシャルが始まってから、視聴者がリモコンを手に取りスキップキーを押すと、１回目のスキップキーの押下では第１所定時間（例えば、１２秒）スキップし、スキップキーが連続して２回以上押下された場合、すなわちスキップキーが押下され映像が画面に表示される前にスキップキーの押下があった場合は、第２所定時間（例えば、１５秒）をスキップし、２回目以降のスキップキーの押下において前回のスキップキーの押下の時刻より一定時間内（例えば、３秒以内）にスキップキーの押下があった場合は、第３所定時間（例えば、１４秒）のスキップをする。
【０００６】
【特許文献１】特開２００２−１５２６８７
【発明の開示】
【発明が解決しようとする課題】
【０００７】
前述した特許文献１に開示されている画像記録再生装置では、スキップキーが押下された時点から予め定めた時間をスキップし、短時間でスキップ先の位置からビデオ信号の再生を行うことができるが、従来のビデオテーププレーヤの早送り・早戻し再生のように、スキップ途中の映像がディスプレイに表示されないため、視聴者は、スキップ先の位置が希望する再生開始位置か否かを判別しにくい。
【０００８】
例えば、記録媒体に記録したテレビジョン放送の番組を再生する場合、番組の途中のコマーシャルをスキップすることがある。コマーシャルが始まり、当該コマーシャルを飛ばすため、視聴者がスキップキーを押下してコマーシャルをスキップさせた際に、スキップ先で既に番組が始まっていると、視聴者は、コマーシャルが終了して番組が始まる位置まで早戻し再生をしつつ映像を見ながら、その位置を探し出さなければならない。
【０００９】
一例として、１３時２８分００秒から１３時２９分５９秒までがコマーシャルであり、１３時３０分００秒から番組が開始する映像であり、視聴者がコマーシャル開始から、１５秒ずつスキップするスキップキーを数回押下し、１３時２９分５８秒にスキップキーを押下した場合、スキップ先は１３時３０分１３秒の位置になり、コマーシャルが終了してから１３秒経過した位置の映像から再生を開始することになる。
【００１０】
スキップした位置が、番組が開始する２秒前の位置であっても、視聴者は、その時点で表示された映像から、直ぐに番組が始まることを判別することができない。このため、視聴者は、番組が始まる直前でスキップキーを押下し、番組が開始した位置から大幅にずれた位置にスキップさせてしまう。この場合、視聴者は、１３秒分の映像を早戻しすることになり、早戻し操作に手間がかかると共に、希望する位置から視聴するまでに時間がかかる。
【００１１】
以上のように、スキップ再生機能を有する記録再生装置は、スキップキーを押下することにより、再生位置を予め定めた時間毎に飛ばし、短時間で希望する再生開始位置から再生を開始させることはできるが、スキップ先の映像に基づいてスキップした位置が希望する再生開始位置に近いか否かを判別することが困難である。この結果、スキップ再生をした場合に、視聴者がスキップキーを操作する回数が増えたり、また、早送り・早戻し再生の操作しなければならなくなり、操作性が悪くなるという問題がある。
【００１２】
本発明は、スキップ先の位置が、視聴者が希望したスキップ位置であるか否かを判別しやすく、より操作性のよいスキップ再生が可能なビデオ信号再生装置及びビテオ信号再生方法を提供することを目的とする。
【課題を解決するための手段】
【００１３】
本願の発明は、ビデオ信号再生装置において、映像データを記録する記録部と、視聴者の操作によりスキップ再生指示入力を受け付ける操作部と、前記操作部に入力された前記スキップ再生指示入力に基づいて入力時の再生時刻から予め定められた時間スキップしたスキップ時刻及び前記スキップ時刻に対し予め定められた時間の前後の時刻とを算出する算出部と、前記記録部に記録され前記算出部が算出した前記スキップ時刻に対応する映像データ及び前記記録部に記録され前記算出部が算出した前記スキップ時刻に対し予め定められた時間の前後の時刻に対応する映像データを表示するために出力する出力部とを備えることを特徴する。
【００１４】
本願の発明は、ビデオ信号再生装置において、ビデオ信号を符号化するエンコーダと、前記エンコーダが符号化したデータを記録すると共に記録したデータを読み出す記録再生部と、前記記録再生部から読み出されたデータを復号するデコーダと、前記デコーダが復号したビデオ信号を出力するビデオ信号出力部と、視聴者からの指示に対応する指示信号を出力する操作部と、前記操作部から出力されたスキップ再生の指示信号に基づいて第１スキップ時刻及び前記第１スキップ時刻に対し予め定めた時間経過した第２スキップ時刻と前記第１スキップ時刻に対し予め定めた時間前の第３スキップ時刻とを演算し、前記記録再生部から前記第１スキップ時刻及び前記第２スキップ時刻及び前記第３スキップ時刻に対応するデータを読み出して前記デコーダにより復号し、前記第１スキップ時刻の第１ビデオ信号及び前記第２スキップ時刻の第２ビデオ信号及び前記第３スキップ時刻の第３ビデオ信号を備えた合成ビデオ信号を生成して前記ビデオ信号出力部から出力する制御を行う制御部とを備えることを特徴とする。
【００１５】
本願の発明は、ビデオ信号再生装置において、ビデオ信号を符号化するエンコーダと、前記エンコーダが符号化したデータを記録すると共に記録したデータを読み出す記録再生部と、前記記録再生部から読み出されたデータを復号するデコーダと、出力用バッファメモリを備えスキップ再生時に複数のビデオ信号を備えた合成ビデオ信号を生成し前記合成ビデオ信号を出力するビデオ信号出力部と、視聴者からの指示に対応する指示信号を出力する操作部と、前記操作部から出力されたスキップ再生の指示信号に基づいて第１スキップ時刻及び前記第１スキップ時刻に対し再生時刻が予め定めた時間経過した第２スキップ時刻と前記第１スキップ時刻に対し再生時刻が予め定めた時間前の第３スキップ時刻とを演算し、前記記録再生部から前記第２スキップ時刻及び前記第３スキップ時刻に対応するデータを読み出して前記デコーダにより復号し、復号した第２ビデオ信号及び第３ビデオ信号を前記出力用バッファメモリに記憶し、前記記録再生部から前記第１スキップ時刻から連続してデータを順次読み出して前記デコーダにより復号し、復号した第１ビデオ信号を前記ビデオ信号出力部に出力し、前記出力用バッファメモリから前記第２ビデオ信号及び前記第３ビデオ信号を繰り返し読み出し前記第１ビデオ信号と同時に表示させる前記合成ビデオ信号を生成し前記ビデオ信号出力部から前記合成ビデオ信号を出力する制御を行う制御部とを備えることを特徴とする。
【００１６】
本願の発明は、ビデオ信号再生装置において、ビデオ信号を符号化するエンコーダと、前記エンコーダが符号化したデータを記録すると共に記録したデータを読み出す記録再生部と、前記記録再生部から読み出されたデータを復号するデコーダと、出力用バッファメモリを備えスキップ再生時に複数のビデオ信号を備えた合成ビデオ信号を生成し前記合成ビデオ信号を出力するビデオ信号出力部と、視聴者からの指示に対応する指示信号を出力する操作部と、前記操作部から出力されたスキップ再生の指示信号に基づいて第１スキップ時刻及び前記第１スキップ時刻に対し再生時刻が予め定めた時間経過した第２スキップ時刻と前記第１スキップ時刻に対し再生時刻が予め定めた時間前の第３スキップ時刻とを演算し、前記記録再生部から前記第１スキップ時刻及び前記第２スキップ時刻及び前記第３スキップ時刻に対応するデータを読み出して前記デコーダにより復号し、復号した第１ビデオ信号及び第２ビデオ信号及び第３ビデオ信号を前記出力用バッファメモリに記憶させ、前記出力用バッファメモリから前記第１ビデオ信号及び前記第２ビデオ信号及び前記第３ビデオ信号を繰り返し読み出し前記第１ビデオ信号及び前記第２ビデオ信号及び前記第３ビデオ信号を静止画として同時に表示させる合成ビデオ信号を生成し、前記ビデオ信号出力部から前記合成ビデオ信号を出力する制御を行う制御部とを備えることを特徴とする。
【００１７】
本願の発明は、ビデオ信号再生装置において、映像データを記録する記録部と、視聴者の操作によりスキップ再生指示入力を受け付ける操作部と、前記操作部に入力された前記スキップ再生指示入力に基づいて入力時の再生時刻から予め定められた時間スキップしたスキップ時刻及び前記スキップ時刻に対して予め定められた時間の前或いは後の時刻とを算出する算出部と、前記記録部に記録され前記算出部が算出した前記スキップ時刻に対応する映像データ及び前記記録部に記録され前記算出部が算出した前記スキップ時刻に対して予め定められた時間前或いは後の時刻に対応する映像データを表示するために出力する出力部とを備えることを特徴とする。
【００１８】
本願の発明は、ビデオ信号再生装置において、ビデオ信号を符号化するエンコーダと、前記エンコーダが符号化したデータを記録すると共に記録したデータを読み出す記録再生部と、前記記録再生部から読み出されたデータを復号するデコーダと、前記デコーダが復号したビデオ信号を出力するビデオ信号出力部と、視聴者からの指示に対応する指示信号を出力する操作部と、前記操作部から出力されたスキップ再生の指示信号に基づいて第１スキップ時刻及び前記第１スキップ時刻に対し予め定めた時間経過した第２スキップ時刻を演算し、前記記録再生部から前記第１スキップ時刻及び前記第２スキップ時刻に対応するデータを読み出して前記デコーダにより復号し、前記第１スキップ時刻の第１ビデオ信号及び前記第２スキップ時刻の第２ビデオ信号を備えた合成ビデオ信号を生成して前記ビデオ信号出力部から出力する制御を行う制御部とを備えることを特徴とする。
【００１９】
本願の発明は、ビデオ信号再生装置において、ビデオ信号を符号化するエンコーダと、前記エンコーダが符号化したデータを記録すると共に記録したデータを読み出す記録再生部と、前記記録再生部から読み出されたデータを復号するデコーダと、前記デコーダが復号したビデオ信号を出力するビデオ信号出力部と、視聴者からの指示に対応する指示信号を出力する操作部と、前記操作部から出力されたバックスキップ再生の指示信号に基づいて第１バックスキップ時刻及び前記第１バックスキップ時刻に対し予め定めた時間前の第２バックスキップ時刻を演算し、前記記録再生部から前記第１バックスキップ時刻及び前記第２バックスキップ時刻に対応するデータを読み出して前記デコーダにより復号し、前記第１バックスキップ時刻の第１ビデオ信号及び前記第２バックスキップ時刻の第２ビデオ信号を備えた合成ビデオ信号を生成して前記ビデオ信号出力部から出力する制御を行う制御部とを備えることを特徴とする。
【００２０】
本願の発明は、ビデオ信号再生装置において、ビデオ信号を符号化するエンコーダと、前記エンコーダが符号化したデータを記録すると共に記録したデータを読み出す記録再生部と、前記記録再生部から読み出されたデータを復号するデコーダと、出力用バッファメモリを備えスキップ再生時またはバックスキップ再生時に複数のビデオ信号を備えた合成ビデオ信号を生成し前記合成ビデオ信号を出力するビデオ信号出力部と、視聴者からの指示に対応する指示信号を出力する操作部と、前記操作部から出力されたスキップ再生またはバックスキップ再生の指示信号に基づいて第１スキップ時刻と前記第１スキップ時刻に対し再生時刻が予め定めた時間経過した第２スキップ時刻又は第１バックスキップ時刻と前記第１バックスキップ時刻に対し予め定めた時間前の第２バックスキップ時刻を演算し、前記記録再生部から前記第２スキップ時刻又は第２バックスキップ時刻に対応するデータを読み出して前記デコーダにより復号し、復号した第２ビデオ信号を前記出力用バッファメモリに記憶し、前記記録再生部から前記第１スキップ時刻から連続してデータを順次読み出して前記デコーダにより復号し、復号した第１ビデオ信号を前記ビデオ信号出力部に出力し、前記出力用バッファメモリから前記第２ビデオ信号を繰り返し読み出し前記第１ビデオ信号と同時に表示させる前記合成ビデオ信号を生成し前記ビデオ信号出力部から前記合成ビデオ信号を出力する制御を行う制御部とを備えることを特徴とする。
【００２１】
本願の発明は、ビデオ信号再生方法において、映像データを記録するステップと、視聴者の操作によりスキップ再生指示入力を受け付けるステップと、入力された前記スキップ再生指示入力に基づいて入力時の再生時刻から予め定められた時間スキップしたスキップ時刻と前記スキップ時刻に対して予め定められた時間前及び後の時刻を算出するステップと、算出した前記スキップ時刻に対応する記録された映像データおよび算出した前記スキップ時刻に対して予め定められた時間前及び後の時刻に対応する記録された映像データを表示するために出力するステップとを備えることを特徴とする。
【００２２】
本願の発明は、ビデオ信号再生方法において、映像データを記録するステップと、視聴者の操作によりスキップ再生指示入力を受け付けるステップと、入力された前記スキップ再生指示入力に基づいて入力時の再生時刻から予め定められた時間スキップしたスキップ時刻及び前記スキップ時刻に対して予め定められた時間前或いは後の時刻とを算出するステップと、算出した前記スキップ時刻に対応する映像データおよび算出した前記スキップ時刻に対して予め定められた時間前或いは後の時刻に対応する映像データを表示するために出力するステップを備えることを特徴する。
【発明の効果】
【００２３】
本発明によれば、スキップ先の位置が、視聴者が希望したスキップ位置であるか否かを判別しやすく、より操作性のよいスキップ再生が可能なビデオ信号再生装置及びビデオ信号再生方法を提供することができる。
【発明を実施するための最良の形態】
【００２４】
図１は、本発明のビデオ信号再生装置の第１の実施例の概略構成を示す図である。
本実施例において、ビデオ信号再生装置としてハードディスクレコーダを例にあげて説明するが、光磁気ディスクドライブを備えたビデオ信号再生装置やＩＣメモリドライブを備えたビデオ信号再生装置であってもよい。
図１において、ハードディスクレコーダは、ビデオ信号入力部１、エンコーダ２、ハードディスクドライブ３、デコーダ４、ビデオ信号出力部５、操作部６、表示部７を備える。ビデオ信号出力部５には、ディスプレイ９が接続されている。
【００２５】
ビデオ信号入力部１は、外部から入力する信号を受信し、受信したビデオ信号をエンコーダ２に出力する。ビデオ信号入力部１は、例えば、外部の再生機器等から出力されたビデオ信号を受信する信号受信手段、テレビジョン放送を受信して映像信号を出力するテレビチューナや、インターネット等のネットワークを介して送信されるデータを受信し、受信したデータからビデオ信号を抽出して出力するネットワークインターフェースなどである。ビデオ信号入力部１は、アナログデジタル変換器（図示せず）を備え、入力した信号がアナログ信号の場合、当該アナログ信号をデジタル信号に変換してビデオ信号を出力する。
【００２６】
エンコーダ２は、ビデオ信号入力部１から出力されたビデオ信号にＭＰＥＧ方式の圧縮処理を施し、ＭＰＥＧデータをハードディスクドライブ３に出力する。エンコーダ２は、ＭＰＥＧデータを記憶するエンコーダバッファメモリ２ａを備える。エンコーダ２は、ビデオ信号入力部１から入力されたビデオ信号に圧縮処理を施し、圧縮したデータをエンコーダバッファメモリ２ａに記憶する。エンコーダバッファメモリ２ａに記憶されたＭＰＥＧデータは、予め定めたデータ量が蓄積されると、後述する制御部８の制御により、エンコーダバッファメモリ２ａから予め定めたデータ量毎に読み出され、ハードディスクドライブ３に出力される。
【００２７】
ハードディスクドライブ３は、後述する制御部８の制御により、エンコーダ２から出力されたＭＰＥＧデータを記録すると共に、記録したＭＰＥＧデータを読み出しデコーダ４に出力する。
【００２８】
デコーダ４は、ハードディスクドライブ３から出力されたＭＰＥＧデータにＭＰＥＧ方式の伸長処理を施し、伸長したビデオ信号をビデオ出力部５に出力する。デコーダ４は、ハードディスクドライブ３から入力されるＭＰＥＧデータを記憶するデコーダバッファメモリ４ａを備える。デコーダ４は、ハードディスクドライブ３から入力されたＭＰＥＧデータをデコーダバッファメモリ４ａに記憶し、記憶したＭＰＥＧデータに順次伸長処理を施す。伸長されたビデオ信号は、後述する制御部８の制御により、順次ビデオ信号出力部５に出力される。
【００２９】
ビデオ信号出力部５は、デコーダ４から出力されたビデオ信号にＮＴＳＣ方式の復調処理を施しアナログビデオ信号に変換し、接続されているディスプレイ９にビデオ信号を出力する。ビデオ信号出力部５は、デコーダ４から出力され、ＮＴＳＣ方式の復調処理が施され、アナログビデオ信号に変換されたビデオ信号を一時記憶する出力用バッファメモリ５ａを備える。なお、ビデオ信号出力部５は、ビデオ信号再生装置に備えられているモニタに出力するようにしてもよい。
【００３０】
ビデオ信号出力部５は、後述する制御部８の制御により、通常再生時には、デコーダ４から出力されたビデオ信号（後述する第１ビデオ信号）をＮＴＳＣ方式の復調処理を施しアナログビデオ信号に変換し、出力用バッファメモリ５ａに記憶せずにディスプレイ９に出力する。
【００３１】
また、ビデオ信号出力部５は、後述する制御部８の制御により、操作部６からスキップ再生の指示信号の入力があった場合、デコーダ４から出力されたビデオ信号（後述する第２ビデオ信号及び第３ビデオ信号）にＮＴＳＣ方式の復調処理を施し、アナログビデオ信号に変換し、出力用バッファメモリ５ａに一時記憶し、デコーダ４から順次入力されるビデオ信号（後述する第１ビデオ信号）と出力用バッファメモリ５ａに記憶したビデオ信号とを同時に表示させる合成ビデオ信号を作成し、当該合成ビデオ信号をディスプレイ９に出力する。なお、ビデオ信号出力部５は、後述する第２ビデオ信号と第３ビデオ信号を静止画として表示させるために、好ましくは出力用バッファメモリ５ａに記憶した第２ビデオ信号と第３ビデオ信号を繰り返し読み出す。
【００３２】
合成ビデオ信号は、後述する第１ビデオ信号、第２ビデオ信号、第３ビデオ信号を同時に表示するビデオ信号である。一例としては、第１ビデオ信号が動画或いは静止画であり、第２ビデオ信号及び第３ビデオ信号が静止画である。
【００３３】
操作部６は、視聴者により、ハードディスクレコーダに備えられた操作ボタン或いは操作ボタンを備えたリモコンから入力する指示に対応する指示信号を制御部８に出力する。操作ボタンとしては、再生停止、早送り・早戻し、スキップ再生等がある。
【００３４】
表示部７は、ハードディスクレコーダの動作状態、操作部６による指示があった場合に、視聴者がわかるようにその指示内容を表示する。
【００３５】
制御部８は、装置全体を総合的に制御し、ビデオ信号入力部１におけるビデオ信号の受信に関する制御、エンコーダ２におけるエンコード処理の制御、ハードディスクドライブ３におけるＭＰＥＧデータの記録及び読み出しの制御、デコーダ４におけるデコード処理の制御、ビデオ信号出力部５におけるビデオ信号の出力に関する制御、表示部７への表示の制御などを行う。
【００３６】
制御部８は、操作部６からスキップ再生の指示信号の入力があった場合、ビデオ信号の現在の再生位置の時刻からスキップ時間（本実施例においては１５秒とするが、１５秒に限定されず３０秒等でもよい。）をスキップした再生位置の時刻（第１スキップ時刻）を演算し、更に、第１スキップ時刻に対し予め定めた時間経過した再生位置の時刻（第２スキップ時刻）と第１スキップ時刻に対して予め定められた時間前の再生位置の時刻（第３スキップ時刻）を演算する。本実施例においては、予め定めた時間は、５秒とするが、これに限定されない。
【００３７】
そして、制御部８は、最初に、ハードディスクドライブ３から第３スキップ時刻のビデオ信号が含まれる１ＧＯＰ（Group Of Picture）のＭＰＥＧデータからＩフレームのデータ（第２ＭＰＥＧデータ）を読み出してデコーダ４に出力し、デコーダ４において当該第３ＭＰＥＧデータをデコードし、デコードした第３ビデオ信号をビデオ信号出力部５の出力用バッファメモリ５ａに記憶する制御を行う。
【００３８】
次に、制御部８は、ハードディスクドライブ３から第２スキップ時刻のビデオ信号が含まれる１ＧＯＰのＭＰＥＧデータからＩフレームのデータ（第２ＭＰＥＧデータ）を読み出してデコーダ４に出力し、デコーダ４において当該第２ＭＰＥＧデータをデコードし、デコードした第２ビデオ信号をビデオ信号出力部５の出力用バッファメモリ５ａに記憶する制御を行う。
【００３９】
最後に、制御部８は、ハードディスクドライブ３から第１スキップ時刻のビデオ信号が含まれる１ＧＯＰのＭＰＥＧデータ（第１ＭＰＥＧデータ）から連続してＭＰＥＧデータを読み出し、デコーダ４において第１ＭＰＥＧデータを順次デコードし、デコードした第１ビデオ信号をビデオ信号出力部５に出力する制御を行う。
【００４０】
制御部８は、ビデオ信号出力部５の出力用バッファメモリ５ａに第２ビデオ信号と第３ビデオ信号を記憶した後、ビデオ信号出力部５にデコーダ４から出力された第１ビデオ信号が入力されると、ビデオ信号出力部５を制御し、第１ビデオ信号、第２ビデオ信号及び第３ビデオ信号とを合成した合成ビデオ信号を作成し、当該合成ビデオ信号をディスプレイ９に出力する制御を行う。本実施例においては、第２ビデオ信号及び第３ビデオ信号は、ＭＰＥＧデータのＩフレームのデータとするが、それに限定されず、１枚の映像を構成するビデオ信号のデータであればよい。
【００４１】
図２は、本実施例のハードディスクレコーダから出力される合成ビデオ信号を説明する図である。
図２（ａ）に示すように、合成ビデオ信号は、スキップ再生の指示があったビデオ信号の再生時刻からスキップ時間（１５秒）スキップした再生位置の時刻（第１スキップ時刻）のビデオ信号（第１ビデオ信号）、第１スキップ時刻に対し予め定めた時間（５秒）経過した再生位置の時刻（第２スキップ時刻）のビデオ信号（第２ビデオ信号）、第１スキップ時刻に対し予め定めた時間（５秒）前の再生位置の時刻（第３スキップ時刻）のビデオ信号（第３ビデオ信号）とからなる。合成ビデオ信号には、図２（ｂ）に示すように、第１ビデオ信号が動画として表示され、第２ビデオ信号及び第３ビデオ信号が静止画として表示される。
【００４２】
本実施例では、ディスプレイ９の表示領域のうち、第１ビデオ信号の表示領域を大きく、第２ビデオ信号及び第３ビデオ信号の表示領域を小さくしているが、それに限定されず、同じ大きさの領域に表示するようにしてもよい。また、図２（ｃ）に示すように、ディスプレイ９の表示領域全体に第１ビデオ信号を表示し、第１ビデオ信号に第２ビデオ信号及び第３ビデオ信号を重畳（インポーズ）させて表示するようにしてもよい。
【００４３】
制御部８は、スキップ再生の操作によりスキップした先のビデオ信号の再生位置の時刻からビデオ信号の再生時刻が予め定めた時間（５秒）経過するまでに、操作部６から何れかのビデオ信号が選択され再生開始の指示信号の入力があった場合、ビデオ信号出力部５を制御し、ビデオ信号出力部５から出力されるビデオ信号を合成ビデオ信号から選択されたビデオ信号に切り替えてディスプレイ９に出力する制御を行う。
【００４４】
また、制御部８は、後述するように、スキップ再生の操作によりスキップした先の第１ビデオ信号を再生し、５秒経過後の第１ビデオ信号と第２ビデオ信号が一致した場合、ビデオ信号出力部５を制御し、ビデオ信号出力部５から出力されるビデオ信号を合成ビデオ信号から第１ビデオ信号に切り替えてディスプレイ９に出力する制御を行う。
【００４５】
このように、制御部８は、通常再生時には、ハードディスクドライブ３から順次読み出したＭＰＥＧデータをデコーダ４によりデコードし、ビデオ信号出力部５からビデオ信号をディスプレイ９に出力するように制御する。また、制御部８は、操作部６からスキップ再生の指示信号の入力があった場合、ハードディスクドライブ３からスキップ先の時刻（第１スキップ時刻）に対し予め定めた時間経過した再生位置の時刻（第２スキップ時刻）と予め定めた時間前の再生位置の時刻（第３スキップ時刻）のＭＰＥＧデータのＩフレームのデータ（第２ＭＰＥＧデータ、第３ＭＰＥＧデータ）を読み出しデコードし、ビテオ信号出力部５の出力用バッファメモリ５ａに一時記憶し、そして、ハードディスクドライブ３から第１ＭＰＥＧデータから連続してＭＰＥＧデータを読み出しデコードし、ビデオ信号出力部５から第１ビデオ信号、第２ビデオ信号、第３ビデオ信号を合成した合成ビデオ信号をディスプレイ９に出力するように制御する。
【００４６】
本実施例のハードディスクレコーダの動作について説明する。
ビデオ信号を記録する場合、ビデオ信号入力部１に入力されたビデオ信号は、エンコーダ２によりエンコードされ、ハードディスクドライブ３に記録される。ハードディスクドライブ３に記録されたビデオ信号を再生する場合、ハードディスクドライブ５からＭＰＥＧデータが読み出され、読み出されたＭＰＥＧデータは、デコーダ４によりデコードされ、ビデオ信号出力部５からビデオ信号としてディスプレイ９に出力される。
【００４７】
ビデオ信号の再生中に、視聴者が操作部６によりスキップ再生の操作をした場合の動作について説明する。
図３は、本実施例のハードディスクレコーダにおけるスキップ再生の指示から合成ビデオ信号の表示までの動作を示すフローチャートである。
図４は、本実施例のハードディスクレコーダにおける合成ビデオ信号の表示以降の動作を示すフローチャートである。
まず、図３において、制御部８は、操作部６からの指示信号の入力を監視する（ステップ２１）。視聴者が操作部６によりスキップ再生の操作を行うと、操作部６は、制御部８にスキップ再生の指示信号を出力する。
【００４８】
制御部８は、操作部６からスキップ再生の指示信号の入力があったときの再生中のビデオ信号の再生位置の時刻からスキップ時間スキップした先の再生位置の時刻（第１スキップ時刻）を算出する（ステップ２２）。制御部８は、第１スキップ時刻を算出すると、第１スキップ時刻に基づいて第２スキップ時刻と第３スキップ時刻を算出する（ステップ２３）。
【００４９】
制御部８は、デコーダ４のデコーダバッファメモリ４ａに記憶されているデータを全て消去する（ステップ２４）。
【００５０】
制御部８は、第２スキップ時刻及び第３スキップ時刻に基づいてハードディスクドライブ３に記録されているＭＰＥＧデータの中から、第２ＭＰＥＧデータと第３ＭＰＥＧデータを読み出し、デコーダ４にデコードさせる（ステップ２５）。
【００５１】
デコーダ４によりデコードされた第２ビデオ信号と第３ビデオ信号は、ビデオ信号出力部５の出力用バッファメモリ５ａに記憶される（ステップ２６）。
【００５２】
そして、制御部８は、第１スキップ時刻に基づいてハードディスクドライブ３に記録されているＭＰＥＧデータの中から、第１スキップ時刻を含む１ＧＯＰのＭＰＥＧデータから連続するＭＰＥＧデータを読み出し、デコーダ４にデコードさせる（ステップ２７）。
【００５３】
デコーダ４によりデコードされた第１ビデオ信号は、ビデオ信号出力部５により第２ビデオ信号及び第３ビデオ信号と合成され、ディスプレイ９に出力される（ステップ２８）。
【００５４】
以上の動作により、図２（ｂ）及び（ｃ）に示すように、ディスプレイ９には、スキップ先の映像（動画）と、スキップ先の時刻に対し予め定めた時間前の再生位置の時刻の映像（静止画）と、スキップ先の時刻に対し予め定めた時間経過した再生位置の時刻の映像（静止画）とが、同時に表示される。この映像により、スキップした先の位置が、視聴者が希望したスキップ位置であるか否かを判別しやすくなる。
【００５５】
次に、図４において、制御部８は、第１ビデオ信号（動画）の再生を開始した後、第１ビデオ信号の再生時刻が予め定めた時間（例えば、５秒）を経過し、第１ビデオ信号の再生時刻が第２スキップ時刻に達するまでの間に、操作部６からの指示信号の入力があるか否かを監視する（ステップ２９）。このとき、視聴者の操作は、スキップ再生の指示、再生開始の指示、第２スキップ時刻からの再生開始の指示、第３スキップ時刻からの再生開始の指示があり、視聴者の操作に基づいて操作部６は、入力された指示に対応する指示信号を制御部８に出力する。
【００５６】
第１ビデオ信号（動画）の再生を開始した後、第１ビデオ信号の再生時刻が予め定めた時間（例えば、５秒）を経過し、第１ビデオ信号の再生時刻が第２スキップ時刻に達するまでの間に、操作部６からの指示信号の入力がない場合（ステップ２９においてＮＯ）、制御部８は、ビデオ信号出力部５を制御し、ディスプレイ９に出力するビデオ信号を合成ビデオ信号から、第１スキップ時刻から連続してハードディスクドライブ３から読み出されデコードされた第１ビデオ信号のみをディスプレイに出力するように切り替える（ステップ３０）。
【００５７】
すなわち、第１ビデオ信号の再生を開始した後、第１ビデオ信号の再生時刻が予め定めた時間を経過し、第１ビデオ信号の再生時刻が第２スキップ時刻に達するまでの間に、操作部６からの指示信号の入力がない場合、動画として再生されている第１ビデオ信号は、再生が開始され再生時刻が予め定めた時間（５秒）経過後に第２ビデオ信号と同じビデオ信号となる。この時点までに視聴者によるスキップキーの押下がない場合、視聴者がスキップ再生の必要がないものと判断したものとし、ビデオ信号出力部５から合成ビデオ信号をディスプレイ９に出力するのではなく、動画として再生されている第１ビデオ信号のみをディスプレイ９に出力する。
【００５８】
ビデオ信号出力部５から第１ビデオ信号のみを出力するように切り替えた後、制御部８は、ビデオ信号出力部５の出力用バッファメモリ５ａに記憶している不要となった第２ビデオ信号及び第３ビデオ信号のデータを消去する（ステップ３１）。この後、制御部８は、ステップ２１に戻り、操作部６から次のスキップキーの押下があるか否かを監視する。
【００５９】
第１ビデオ信号の再生を開始した後、第１ビデオ信号の再生時刻が予め定めた時間を経過し、第１ビデオ信号の再生時刻が第２スキップ時刻に達するまでの間に、操作部６から指示信号の入力があり（ステップ２９においてＹＥＳ）、当該指示信号がスキップ再生の指示の場合（スキップキーの押下があった場合）、制御部８は、ステップ２２以降の処理を行う（ステップ３２）。
【００６０】
第１ビデオ信号の再生を開始した後、第１ビデオ信号の再生時刻が予め定めた時間を経過し、第１ビデオ信号の再生時刻が第２スキップ時刻に達するまでの間に、操作部６から指示信号の入力があり（ステップ２９）、当該指示信号がスキップ再生の指示の場合でない場合（ステップ３２においてＮＯ）、当該指示信号が第１ビデオ信号を選択し再生開始の指示であるか否かを判別する（ステップ３３）。
【００６１】
当該指示信号が第１ビデオ信号を選択し再生開始の指示である場合（ステップ３３においてＹＥＳ）、ステップ３０に移行し、ビデオ信号出力部５からの出力信号を合成ビデオ信号から第１ビデオ信号に切り替えディスプレイ９に第１ビデオ信号を出力し（ステップ３０）、出力用バッファメモリ５ａの第２ビデオ信号及び第３ビデオ信号のデータを消去し（ステップ３１）、ステップ２２に移行する。
【００６２】
第１ビデオ信号の再生を開始した後、第１ビデオ信号の再生時刻が予め定めた時間を経過し、第１ビデオ信号の再生時刻が第２スキップ時刻に達するまでの間に、操作部６から指示信号の入力があり（ステップ２９においてＹＥＳ）、当該指示信号が第１ビデオ信号の選択・再生開始の指示ではなく（ステップ３３においてＮＯ）、第２ビデオ信号を選択し再生開始の指示である場合（ステップ３４）、デコーダ４のデコーダバッファメモリ４ａのデータを消去し（ステップ３５）、ハードディスクドライブ３から第２スキップ時刻から連続してＭＰＥＧデータを読み出しデコードし（ステップ３６）、デコードしたビデオ信号をビデオ信号出力部５からディスプレイ９に出力する（ステップ３７）。そして、ステップ２２に移行する。
【００６３】
第１ビデオ信号の再生を開始した後、第１ビデオ信号の再生時刻が予め定めた時間を経過し、第１ビデオ信号の再生時刻が第２スキップ時刻に達するまでの間に、操作部６から指示信号の入力があり（ステップ２９においてＹＥＳ）、当該指示信号が第１ビデオ信号の選択・再生開始の指示ではなく（ステップ３３においてＮＯ）、また、第２ビデオ信号の選択・再生開始の指示ではない場合（ステップ３４）、当該指示信号は第３ビデオ信号を選択し再生開始の指示であるとして、デコーダ４のデコーダバッファメモリ４ａのデータを消去し（ステップ３８）、ハードディスクドライブ３から第３スキップ時刻から連続してＭＰＥＧデータを読み出しデコードし（ステップ３９）、デコードしたビデオ信号をビデオ信号出力部５からディスプレイ９に出力する（ステップ４０）。そして、ステップ２２に移行する。
【００６４】
以上の処理により、ハードディスクレコーダにおいて、スキップキーを押下した場合、スキップ時間をスキップした先の第１ビデオ信号が動画として表示され、第２スキップ時刻の第２ビデオ信号と第３スキップ時刻の第３ビデオ信号が静止画として前記第１ビデオ信号と共に表示される。
【００６５】
このことにより、視聴者は、スキップ再生によりスキップ時間をスキップした先の映像と、そのスキップ先の映像に対し再生時刻が予め定めた時間前及び予め定めた時間後の映像とを同時に見ることができるため、スキップした先の映像からスキップした先が希望するスキップ先か否かを判断することができる。また、スキップ先の映像とスキップ先の映像に対し予め定めた時間前の映像或いはスキップ先の映像とスキップ先の映像に対し予め定めた時間後の映像からスキップした先が希望するスキップ先に近いか否かを判別することができる。
【００６６】
そして、スキップ先の映像に対し予め定めた時間前及び予め定めた時間後の映像が表示されている時、すなわち、スキップした時刻から予め定めた時間の間に、再度スキップキーを押下すると、第１ビデオ信号（動画）の再生時点から新たにスキップ時間をスキップする。また、再生開始キーを押下すると、その時点から第１ビデオ信号（動画）のみがディスプレイ９に表示される視聴を続けることができる。さらに、スキップ先の映像に対し予め定めた時間前及び予め定めた時間後の映像が表示されている時に、第２ビデオ信号或いは第３ビデオ信号を選択し再生開始の指示をした場合には、選択した第２ビデオ信号或いは第３ビデオ信号からビデオ信号の再生が開始し、ディスプレイ９に動画が表示される。
【００６７】
前述した実施例では、スキップ再生の操作があった場合、第１ビデオ信号を動画として再生し、第２ビデオ信号及び第３ビデオ信号を静止画として再生したが、第１ビデオ信号及び第２ビデオ信号及び第３ビデオ信号の全てを静止画としてディスプレイ９に表示させるようにしてもよい。
【００６８】
次に、操作部６によりスキップ再生の指示があった場合に、ディスプレイ９に第１ビデオ信号及び第２ビデオ信号及び第３ビデオ信号の全てを静止画として表示させるハードディスクレコーダの実施例（第２の実施例）について説明する。
【００６９】
当該ハードディスクレコーダは、ビデオ信号入力部１、エンコーダ２、ハードディスクドライブ３、デコーダ４、操作部６及び表示部７は、前述した第１の実施例のハードディスクレコーダの各部の処理と同じであり、制御部８及びビデオ信号処理部５の動作が異なる。
【００７０】
制御部８は、操作部６からスキップ再生の指示信号の入力があった場合、スキップ再生の指示信号の入力があったときの再生位置の時刻から第１スキップ時刻、第２スキップ時刻、第３スキップ時刻を演算する。そして、制御部８は、ハードディスクドライブ３から第１スキップ時刻及び第２スキップ時刻及び第３スキップ時刻のビデオ信号が含まれるそれぞれの１ＧＯＰのＭＰＥＧデータから、Ｉフレームのデータ（第１ＭＰＥＧデータ、第２ＭＰＥＧデータ、第３ＭＰＥＧデータ）を読み出してデコーダ４に出力し、デコーダ４において第１ＭＰＥＧデータ及び第２ＭＰＥＧデータ及び第３ＭＰＥＧデータをデコードし、デコードした第１ビデオ信号及び第２ビデオ信号及び第３ビデオ信号をビデオ信号出力部５の出力用バッファメモリ５ａに記憶する制御を行う。
【００７１】
制御部８は、ビデオ信号出力部５を制御し、出力用バッファメモリ５ａに記憶されている第１ビデオ信号及び第２ビデオ信号及び第３ビデオ信号を合成した合成ビデオ信号を生成させ、当該合成ビデオ信号をディスプレイ９に出力させる。
【００７２】
制御部８は、スキップ再生の操作によりスキップした先の映像が表示された時刻から予め定めた時間（例えば、５秒）を計測するタイマを備える。制御部８は、スキップ再生の操作によりスキップした先の映像が表示された時刻から予め定めた時間経過するまでに、操作部６から何れかのビデオ信号が選択され再生開始の指示信号の入力があった場合、ハードディスクドライブ３から選択されたビデオ信号に連続するＭＰＥＧデータを読み出し、デコーダ４においてデコードし、ビデオ信号出力部５から出力されるビデオ信号を合成ビデオ信号から選択されたビデオ信号に切り替えてディスプレイ９に出力する制御を行う。
【００７３】
ビデオ信号出力部５は、デコーダ４から出力されたビデオ信号にＮＴＳＣ方式の復調処理を施しアナログビデオ信号に変換し、接続されているディスプレイ９にビデオ信号を出力する。ビデオ信号出力部５は、デコーダ４から出力され、ＮＴＳＣ方式の復調処理が施され、アナログビデオ信号に変換されたビデオ信号を一時記憶する出力用バッファメモリ５ａを備える。
【００７４】
ビデオ信号出力部５は、後述する制御部８の制御により、通常再生時には、デコーダ４から出力されたビデオ信号をＮＴＳＣ方式の復調処理を施しアナログビデオ信号に変換し、出力用バッファメモリ５ａに記憶せずにディスプレイ９に出力する。
【００７５】
また、ビデオ信号出力部５は、制御部８の制御により、操作部６からスキップ再生の指示信号の入力があった場合、デコーダ４から出力された第１ビデオ信号、第２ビデオ信号及び第３ビデオ信号にＮＴＳＣ方式の復調処理を施し、アナログビデオ信号に変換し、出力用バッファメモリ５ａに一時記憶し、出力用バッファメモリ５ａに第１ビデオ信号、第２ビデオ信号及び第３ビデオ信号を同時に表示させる合成ビデオ信号を作成し、当該合成ビデオ信号をディスプレイ９に出力する。
【００７６】
ビデオ信号出力部５は、合成ビデオ信号を出力すると、制御部８に合成ビデオ信号を出力したことを通知する。ビデオ信号出力部５は、第１ビデオ信号、第２ビデオ信号及び第３ビデオ信号を静止画として表示させるために、出力用バッファメモリ５ａに記憶した第１ビデオ信号、第２ビデオ信号と第３ビデオ信号を繰り返し読み出す。
【００７７】
ビデオ信号の再生中に、視聴者が操作部６によりスキップ再生の操作をした場合の動作について説明する。
図５は、本発明のビデオ信号再生装置の第１の実施例におけるスキップ再生の指示から合成ビデオ信号の表示までの動作を示すフローチャートである。
図６は、本発明のビデオ信号再生装置の第２の実施例における合成ビデオ信号の表示以降の動作を示すフローチャートである。
【００７８】
まず、図５において、制御部８は、操作部６からの指示信号の入力を監視する（ステップ４１）。視聴者が操作部６によりスキップ再生の操作を行うと、操作部６は、制御部８にスキップ再生の指示信号を出力する。
【００７９】
制御部８は、スキップ再生の指示信号の入力があったときの再生中のビデオ信号の再生位置の時刻からスキップした先の時刻（第１スキップ時刻）を算出する（ステップ４２）。制御部８は、第１スキップ時刻を算出すると、第１スキップ時刻に基づいて第２スキップ時刻と第３スキップ時刻を算出する（ステップ４３）。
【００８０】
制御部８は、デコーダ４のデコーダバッファメモリ４ａに記憶されているデータを全て消去する（ステップ４４）。
【００８１】
制御部８は、第１スキップ時刻及び第２スキップ時刻及び第３スキップ時刻に基づいて、ハードディスクドライブ３に記録されているＭＰＥＧデータの中から、第１スキップ時刻を含む１ＧＯＰのＭＰＥＧデータから第１ＭＰＥＧデータと、第２スキップ時刻を含む１ＧＯＰのＭＰＥＧデータから第２ＭＰＥＧデータと、第３スキップ時刻を含む１ＧＯＰのＭＰＥＧデータから第３ＭＰＥＧデータを読み出し、デコーダ４によりデコードを行わせる（ステップ４５）。
【００８２】
デコーダ４によりデコードされた第１ビデオ信号、第２ビデオ信号及び第３ビデオ信号は、ビデオ信号出力部５の出力用バッファメモリ５ａに記憶される（ステップ４６）。
【００８３】
ビデオ信号出力部５は、出力用バッファメモリ５ａに記憶された第１ビデオ信号及び第２ビデオ信号及び第３ビデオ信号を用いて合成ビデオ信号を生成し、ディスプレイ９に出力する（ステップ４７）。ディスプレイ９には、第１ビデオ信号及び第２ビデオ信号及び第３ビデオ信号が静止画として表示される。
【００８４】
次に、図６において、制御部８は、スキップ再生の操作によりスキップした先の第１ビデオ信号、第２ビデオ信号及び第３ビデオ信号からなる合成ビデオ信号を表示した時刻から、タイマにより予め定めた時間を計測し、合成ビデオ信号を表示した時刻から予め定めた時間経過するまでの間に、操作部６からの指示信号の入力があるか否かを監視する（ステップ４８）。このとき、視聴者の操作は、スキップ再生の指示、再生開始の指示（第１スキップ時刻からの再生開始の指示）、第２スキップ時刻からの再生開始の指示、第３スキップ時刻からの再生開始の指示があり、視聴者に操作に基づいて操作部６は、入力された指示に対応する指示信号を制御部８に出力する。
【００８５】
合成ビデオ信号を表示した時刻から予め定めた時間経過するまでの間に、操作部６からの指示信号の入力がない場合（ステップ４８においてＮＯ）、制御部８は、ハードディスクドライブ３から第１スキップ時刻から連続してＭＰＥＧデータを読み出しデコードし（ステップ４９）、ビデオ信号出力部５からディスプレイ９にビデオ信号を出力する（ステップ５０）。このことにより、ディスプレイ９には、スキップ先の時刻（第１スキップ時刻）からの映像が動画として表示される。この後、ステップ４１に移行し、制御部８は、操作部６からスキップキーの押下があるか否かを監視する。
【００８６】
合成ビデオ信号を表示した時刻から予め定めた時間経過するまでの間に、操作部６から指示信号の入力があり（ステップ４８においてＹＥＳ）、当該指示信号がスキップ再生の指示の場合（新たなスキップキーの押下があった場合）、制御部８は、ステップ４２（図５）以降の処理を行う（ステップ５１）。
【００８７】
合成ビデオ信号を表示した時刻から予め定めた時間経過するまでの間に、操作部６から指示信号の入力があり（ステップ４８においてＹＥＳ）、当該指示信号がスキップ再生の指示の場合でない場合、当該指示信号が第１ビデオ信号を選択し再生開始の指示であるか否かを判別する（ステップ５２）。当該指示信号が第１ビデオ信号を選択し再生開始の指示である場合、ハードディスクドライブ３から第１スキップ時刻から連続してＭＰＥＧデータを読み出しデコードし（ステップ４９）、ビデオ信号出力部５からディスプレイ９にビデオ信号を出力する（ステップ５０）、ステップ４２に移行する。
【００８８】
合成ビデオ信号を表示した時刻から予め定めた時間経過するまでの間に、操作部６から指示信号の入力があり（ステップ４８においてＹＥＳ）、当該指示信号がスキップ再生の指示の場合でなく（ステップ５１においてＮＯ）、第２ビデオ信号を選択し再生開始の指示である場合（ステップ５３）、ハードディスクドライブ３から第２スキップ時刻から連続してＭＰＥＧデータを読み出しデコードし（ステップ５４）、デコードしたビデオ信号をビデオ信号出力部５からディスプレイ９に出力する（ステップ５５）。そして、ステップ４２に移行する。
【００８９】
合成ビデオ信号を表示した時刻から予め定めた時間経過するまでの間に、操作部６から指示信号の入力があり（ステップ４８）、当該指示信号が第１ビデオ信号の選択・再生開始の指示ではなく（ステップ５２においてＮＯ）、また、第２ビデオ信号の選択・再生開始の指示ではない場合、当該指示信号は第３ビデオ信号を選択し再生開始の指示であるとして（ステップ５３）、ハードディスクドライブ３から第３スキップ時刻から連続してＭＰＥＧデータを読み出しデコードし（ステップ５６）、デコードしたビデオ信号をビデオ信号出力部５からディスプレイ９に出力する（ステップ５７）。そして、ステップ４２に移行する。
【００９０】
以上の処理により、ハードディスクレコーダにおいて、スキップキーを押下した場合、スキップ時間をスキップした先の第１スキップ時刻の第１ビデオ信号、第１スキップ時刻に対して予め定めた時間前の第２スキップ時刻の第２ビデオ信号、第１スキップ時刻に対して予め定めた時間経過した第３スキップ時刻の第３ビデオ信号が静止画としてディスプレイに表示される。
【００９１】
このことにより、視聴者は、スキップ再生によりスキップ時間をスキップした先の映像と、そのスキップ先の映像に対し再生時刻が予め定めた時間前及び予め定めた時間後の映像とを同時に見ることができるため、スキップした先の映像からスキップした先が希望するスキップ先か否かを判断することができる。また、スキップ先の映像とスキップ先の映像に対し予め定めた時間前の映像或いはスキップ先の映像とスキップ先の映像に対し予め定めた時間後の映像からスキップした先が希望するスキップ先に近いか否かを判別することができる。
【００９２】
そして、スキップ先の映像、スキップ先の映像に対し再生時刻が予め定めた時間前及び予め定めた時間後の映像が表示されている時に、再度スキップキーを押下すると、第１スキップ時刻から新たにスキップ時間をスキップする。また、再生開始キーを押下すると、その時点から第１ビデオ信号がディスプレイ９に表示される。また、スキップ先の映像に対し再生時刻が予め定めた時間前及び予め定めた時間後の映像が表示されている時に、第２ビデオ信号或いは第３ビデオ信号を選択し再生開始の指示をした場合には、選択した第２ビデオ信号或いは第３ビデオ信号からビデオ信号の再生が開始し、ディスプレイ９に動画が表示される。
【００９３】
前述した第１及び第２の実施例においては、スキップ再生の操作を行うと、ディスプレイに第１ビテオ信号及び第２ビテオ信号及び第３ビデオ信号とからなる合成ビデオ信号が表示されるものとしたが、視聴者による操作部６を用いた設定により、通常のスキップ再生、すなわちスキップ先のビデオ信号が再生されるスキップ再生と前述したスキップ再生とを選択できるようにしてもよい。
【００９４】
前述した第１及び第２の実施例では、スキップ先の前後の映像をそれぞれ１つの時刻の映像を表示するが、それに限定されず、スキップ先の前後の映像を２以上の映像を表示するようにしてもよい。
【００９５】
また、前述した第１及び第２の実施例は、ビデオ信号の現在の再生時刻に対し先の時刻にスキップする場合について説明したが、現在の再生時刻に対し過去の時刻にスキップ（バックスキップ）する場合に、バックスキップ先の映像に対し再生時刻が予め定めた時間前及び予め定めた時間後の映像が表示されるようにしてもよい。
【００９６】
次に、本発明のビデオ信号再生装置の第３の実施例について説明する。
前述した第１及び第２の実施例のビデオ信号再生装置は、スキップ再生の操作を行った際に、スキップ先の映像に対し再生時刻が予め定めた時間前及び予め定めた時間後の映像が表示されるが、それに限定されない。すなわち、スキップ再生の操作を行った際に、スキップ先の映像に対し再生時刻が予め定めた時間前のみの映像、或いは、スキップ先の映像に対し再生時刻が予め定めた時間経過後のみの映像が表示されるようにしてもよい。
【００９７】
本発明の第３の実施例として、スキップ再生又はバックスキップ再生の操作を行った際に、スキップ先の映像に対し再生時刻が予め定めた時間経過した時刻の映像のみ、或いは、バックスキップ先の映像に対し再生時刻が予め定めた時間経過前の時刻の映像のみが表示されるビデオ信号再生装置について説明する。
【００９８】
本発明の第３の実施例におけるビデオ信号再生装置は、図１に示すビデオ信号再生装置に対しビデオ信号出力部５、操作部６及び制御部７の動作が異なるが、それ以外の構成は、図１に示すビデオ信号再生装置の構成と同じであるため、詳細な説明は省略する。
【００９９】
ビデオ信号出力部５は、後述する制御部８の制御により、操作部６からスキップ再生又はバックスキップ再生の指示信号の入力があった場合、デコーダ４から出力されたビデオ信号（後述する第２ビデオ信号）にＮＴＳＣ方式の復調処理を施し、アナログビデオ信号に変換し、出力用バッファメモリ５ａに一時記憶し、デコーダ４から順次入力されるビデオ信号（後述する第１ビデオ信号）と出力用バッファメモリ５ａに記憶したビデオ信号とを同時に表示させる合成ビデオ信号を作成し、当該合成ビデオ信号をディスプレイ９に出力する。なお、ビデオ信号出力部５は、後述する第２ビデオ信号を静止画として表示させるために、出力用バッファメモリ５ａに記憶した第２ビデオ信号を繰り返し読み出す。
【０１００】
合成ビデオ信号は、後述する第１ビデオ信号、第２ビデオ信号を同時に表示するビデオ信号である。一例としては、第１ビデオ信号が動画或いは静止画であり、第２ビデオ信号が静止画である。
【０１０１】
操作部６は、視聴者により、ハードディスクレコーダに備えられた操作ボタン或いは操作ボタンを備えたリモコンから入力する指示に対応する指示信号を制御部８に出力する。操作ボタンとしては、再生停止、早送り・早戻し、スキップ再生、バックスキップ再生等がある。
【０１０２】
制御部８は、装置全体を総合的に制御し、ビデオ信号入力部１におけるビデオ信号の受信に関する制御、エンコーダ２におけるエンコード処理の制御、ハードディスクドライブ３におけるＭＰＥＧデータの記録及び読み出しの制御、デコーダ４におけるデコード処理の制御、ビデオ信号出力部５におけるビデオ信号の出力に関する制御、表示部７への表示の制御などを行う。
【０１０３】
制御部８は、操作部６からスキップ再生又はバックスキップ再生の指示信号の入力があった場合、ビデオ信号の現在の再生位置の時刻から先に又は後にスキップ時間スキップした再生位置の時刻（第１スキップ時刻又は第１バックスキップ時刻）を演算する。ここで、スキップ再生の指示があった場合は第１スキップ時刻に対し予め定めた時間経過した再生位置の時刻（第２スキップ時刻）を演算する。また、バックスキップ再生の指示があった場合は第１バックスキップ時刻に対し予め定められた時間前の再生位置の時刻（第２バックスキップ時刻）を演算する。本実施例において、スキップ時間は、１５秒とするが、１５秒に限定されず３０秒等でもよい。また、本実施例においては、予め定めた時間は、５秒とするが、これに限定されない。
【０１０４】
具体的には、操作部６からスキップ再生の指示信号の入力があった場合、制御部８は、ビデオ信号の現在の再生位置の時刻から先にスキップ時間スキップした再生位置の時刻の第１スキップ時刻（ＦＳ１）を演算し、第１スキップ時刻（ＦＳ１）に対し予め定めた時間経過した再生位置の時刻の第２スキップ時刻（ＦＳ２）を演算する。また、操作部６からバックスキップ再生の指示があった場合、制御部８は、ビデオ信号の現在の再生位置の時刻から後にスキップ時間スキップした再生位置の時刻の第１バックスキップ時刻（ＢＳ１）を演算し、第１バックスキップ時刻（ＢＳ１）に対し予め定められた時間前の再生位置の時刻の第２バックスキップ時刻（ＢＳ２）を演算する。
【０１０５】
そして、制御部８は、最初に、ハードディスクドライブ３から第２スキップ時刻(ＦＳ２)又は第２バックスキップ時刻（ＢＳ２)のビデオ信号が含まれる１ＧＯＰ（Group Of Picture）のＭＰＥＧデータからＩフレームのデータ（第２ＭＰＥＧデータ）を読み出してデコーダ４に出力し、デコーダ４において当該第２ＭＰＥＧデータをデコードし、デコードした第２ビデオ信号をビデオ信号出力部５の出力用バッファメモリ５ａに記憶する制御を行う。
【０１０６】
最後に、制御部８は、ハードディスクドライブ３から第１スキップ時刻(ＦＳ１)又は第１バックスキップ時刻（ＢＳ１)のビデオ信号が含まれる１ＧＯＰのＭＰＥＧデータ（第１ＭＰＥＧデータ）から連続してＭＰＥＧデータを読み出し、デコーダ４において第１ＭＰＥＧデータを順次デコードし、デコードした第１ビデオ信号をビデオ信号出力部５に出力する制御を行う。
【０１０７】
制御部８は、ビデオ信号出力部５の出力用バッファメモリ５ａに第２ビデオ信号を記憶した後、ビデオ信号出力部５にデコーダ４から出力された第１ビデオ信号が入力されると、ビデオ信号出力部５を制御し、第１ビデオ信号及び第２ビデオ信号とを合成した合成ビデオ信号を作成し、当該合成ビデオ信号をディスプレイ９に出力する制御を行う。本実施例においては、第２ビデオ信号は、ＭＰＥＧデータのＩフレームのデータとするが、それに限定されず、１枚の映像を構成するビデオ信号のデータであればよい。
【０１０８】
図７は、本実施例のビデオ信号再生装置におけるスキップ再生時又はバックスキップ再生時の動作を説明する図である。
図７（ａ）に示すように、合成ビデオ信号は、スキップ再生又はバックスキップ再生の指示があったビデオ信号の再生時刻からスキップ時間（１５秒）スキップした再生位置の第１スキップ時刻(ＦＳ１)又は第１バックスキップ時刻（ＢＳ１)のビデオ信号（第１ビデオ信号）と、スキップ再生の指示があった場合の第１スキップ時刻（ＦＳ１）に対し予め定めた時間（５秒）経過した再生位置の第２スキップ時刻（ＦＳ２）のビデオ信号（第２ビデオ信号）、或いは、バックスキップ再生の指示があった場合の第１バックスキップ時刻（ＢＳ１）に対し予め定めた時間（５秒）前の再生位置の第２バックスキップ時刻（ＢＳ２）のビデオ信号（第２ビデオ信号）とからなる。合成ビデオ信号には、図７（ｂ）又は図７（ｄ）に示すように、第１ビデオ信号が動画として表示され、第２ビデオ信号が静止画として表示される。
【０１０９】
本実施例では、ディスプレイ９の表示領域のうち、第１ビデオ信号の表示領域を大きく、第２ビデオ信号の表示領域を小さくしているが、それに限定されず、同じ大きさの領域に表示するようにしてもよい。また、図７（ｃ）又は図７（ｅ）に示すように、ディスプレイ９の表示領域全体に第１ビデオ信号を表示し、第１ビデオ信号に第２ビデオ信号を重畳（インポーズ）させて表示するようにしてもよい。
【０１１０】
制御部８は、スキップ再生又はバックスキップ再生の操作によりスキップした先のビデオ信号の再生位置の時刻からビデオ信号の再生時刻が予め定めた時間（５秒）経過するまでに、操作部６から別のビデオ信号が選択され再生開始の指示信号の入力があった場合、ビデオ信号出力部５を制御し、ビデオ信号出力部５から出力されるビデオ信号を合成ビデオ信号から選択されたビデオ信号に切り替えてディスプレイ９に出力する制御を行う。
【０１１１】
また、制御部８は、後述するように、スキップ再生の操作によりスキップした先の第１ビデオ信号を再生し、５秒経過後の第１ビデオ信号と第１スキップ時刻（ＦＳ１）から５秒先のビデオ信号（ＦＳ２)が一致した場合、ビデオ信号出力部５を制御し、ビデオ信号出力部５から出力されるビデオ信号を合成ビデオ信号から第１ビデオ信号に切り替えてディスプレイ９に出力する制御を行う。
【０１１２】
また、制御部８は、後述するように、バックスキップ再生の操作によりスキップした先の第１ビデオ信号を再生し、第１バックスキップ時刻から予め定めた時間（例えば、５秒
経過した後、ビデオ信号出力部５を制御し、ビデオ信号出力部５から出力されるビデオ信号を合成ビデオ信号から第１ビデオ信号に切り替えてディスプレイ９に出力する制御を行う。
【０１１３】
このように、制御部８は、通常再生時には、ハードディスクドライブ３から順次読み出したＭＰＥＧデータをデコーダ４によりデコードし、ビデオ信号出力部５からビデオ信号をディスプレイ９に出力するように制御する。また、制御部８は、操作部６からスキップ再生又はバックスキップ再生の指示信号の入力があった場合、ハードディスクドライブ３からスキップ先の第１スキップ時刻（ＦＳ１）又は第１バックスキップ時刻（ＢＳ１）に対し、予め定めた時間経過した第２スキップ時刻（ＦＳ２）或いは予め定めた時間前の第２スキップ時刻（ＢＳ２）のＭＰＥＧデータのＩフレームのデータ（第２ＭＰＥＧデータ）を読み出しデコードし、ビテオ信号出力部５の出力用バッファメモリ５ａに一時記憶し、そして、ハードディスクドライブ３から第１ＭＰＥＧデータから連続してＭＰＥＧデータを読み出しデコードし、ビデオ信号出力部５から第１ビデオ信号、第２ビデオ信号を合成した合成ビデオ信号をディスプレイ９に出力するように制御する。
【０１１４】
本実施例のビデオ信号再生装置の動作について説明する。
ビデオ信号を記録する場合、ビデオ信号入力部１に入力されたビデオ信号は、エンコーダ２によりエンコードされ、ハードディスクドライブ３に記録される。ハードディスクドライブ３に記録されたビデオ信号を再生する場合、ハードディスクドライブ５からＭＰＥＧデータが読み出され、読み出されたＭＰＥＧデータは、デコーダ４によりデコードされ、ビデオ信号出力部５からビデオ信号としてディスプレイ９に出力される。
【０１１５】
ビデオ信号の再生中に、視聴者が操作部６によりスキップ再生又はバックスキップ再生の操作をした場合の動作について説明する。
図８は、本実施例のビデオ信号再生装置におけるスキップ再生又はバックスキップ再生の指示から合成ビデオ信号の表示までの動作を示すフローチャートである。
図９は、本実施例のビデオ信号再生装置における合成ビデオ信号の表示以降の動作を示すフローチャートである。
【０１１６】
まず、図８において、制御部８は、操作部６からの指示信号の入力を監視する（ステップ６０）。視聴者が操作部６によりスキップ再生の操作を行うと、操作部６は、制御部８にスキップ再生の指示信号を出力し、バックスキップ再生の操作を行うと、操作部６は、制御部８にバックスキップ再生の指示信号を出力する。
【０１１７】
制御部８は、操作部６からスキップ再生又はバックスキップ再生の指示信号の入力があったときの再生中のビデオ信号の再生位置の時刻からスキップ時間スキップした先の再生位置の第１スキップ時刻（ＦＳ１）又は第１バックスキップ時刻（ＢＳ１）を算出する（ステップ６１）。制御部８は、第１スキップ時刻（ＦＳ１）又は第１バックスキップ時刻（ＢＳ１）を算出すると、第１スキップ時刻（ＦＳ１）又は第１バックスキップ時刻（ＢＳ１）に基づいて第２スキップ時刻（ＦＳ２）又は第２バックスキップ時刻（ＢＳ２）を算出する（ステップ６２）。
【０１１８】
制御部８は、デコーダ４のデコーダバッファメモリ４ａに記憶されているデータを全て消去する（ステップ６３）。
【０１１９】
制御部８は、第２スキップ時刻（ＦＳ２）又は第２バックスキップ時刻（ＢＳ２）に基づいてハードディスクドライブ３に記録されているＭＰＥＧデータの中から第２ＭＰＥＧデータを読み出し、デコーダ４にデコードさせる（ステップ６４）。
【０１２０】
デコーダ４によりデコードされた第２ビデオ信号は、ビデオ信号出力部５の出力用バッファメモリ５ａに記憶される（ステップ６５）。
【０１２１】
そして、制御部８は、第１スキップ時刻（ＦＳ１）又は第１バックスキップ時刻（ＢＳ１）に基づいてハードディスクドライブ３に記録されているＭＰＥＧデータの中から、第１スキップ時刻（ＦＳ１）又は第１バックスキップ時刻（ＢＳ１）を含む１ＧＯＰのＭＰＥＧデータから連続するＭＰＥＧデータを読み出し、デコーダ４にデコードさせる（ステップ６６）。
【０１２２】
デコーダ４によりデコードされた第１ビデオ信号は、ビデオ信号出力部５により第２ビデオ信号と合成され、ディスプレイ９に出力される（ステップ６７）。
【０１２３】
以上の動作により、図７（ｂ）から（ｄ）に示すように、ディスプレイ９には、スキップ先の映像（動画）と、スキップ先の時刻に対し予め定めた時間経過した時刻の映像（静止画）、又は、バックスキップ先の映像（動画）とバックスキップ先の時刻に対し予め定めた時間前の時刻の映像（静止画）とが同時に表示される。この映像により、スキップした先の位置が、視聴者が希望したスキップ位置であるか否かを判別しやすくなる。
【０１２４】
次に、図９において、制御部８は、スキップ再生又はバックスキップ再生を開始した後、第１ビデオ信号の再生時刻が第１スキップ時刻（ＦＳ１）又は第１バックスキップ時刻（ＢＳ１）から予め定めた時間（例えば、５秒）経過するまでの間に、操作部６からの指示信号の入力があるか否かを監視する（ステップ６８）。このとき、視聴者の操作は、スキップ再生の指示、バックスキップ再生の指示、再生開始の指示、第２スキップ時刻からの再生開始の指示があり、視聴者の操作に基づいて操作部６は、入力された指示に対応する指示信号を制御部８に出力する。
【０１２５】
第１ビデオ信号（動画）の再生を開始した後、第１ビデオ信号の再生時刻が予め定めた時間（例えば、５秒）を経過するまでの間に、操作部６からの指示信号の入力がない場合（ステップ６８においてＮＯ）、制御部８は、ビデオ信号出力部５を制御し、ディスプレイ９に出力するビデオ信号を合成ビデオ信号から、第１スキップ時刻（ＦＳ１）又は第１バックスキップ時刻（ＢＳ１）から連続してハードディスクドライブ３から読み出されデコードされた第１ビデオ信号のみをディスプレイに出力するように切り替える（ステップ６９）。
【０１２６】
この時点までに視聴者によるスキップキーの押下がない場合、視聴者がスキップ再生の必要がないものと判断したものとし、ビデオ信号出力部５から合成ビデオ信号をディスプレイ９に出力するのではなく、動画として再生されている第１ビデオ信号のみをディスプレイ９に出力する。
【０１２７】
ビデオ信号出力部５から第１ビデオ信号のみを出力するように切り替えた後、制御部８は、ビデオ信号出力部５の出力用バッファメモリ５ａに記憶している不要となった第２ビデオ信号のデータを消去する（ステップ７０）。この後、制御部８は、ステップ２１に戻り、操作部６から次のスキップキーの押下があるか否かを監視する。
【０１２８】
第１ビデオ信号の再生を開始した後、第１ビデオ信号の再生時刻が第１スキップ時刻（ＦＳ１）又は第１バックスキップ時刻（ＢＳ１）から予め定めた時間を経過するまでの間に、操作部６から指示信号の入力があり（ステップ６８においてＹＥＳ）、当該指示信号がスキップ再生の指示の場合（スキップキーの押下があった場合）又はバックスキップ再生の指示の場合（バックスキップキーの押下があった場合）、制御部８は、図８に示すステップ６１以降の処理を行う（ステップ７１）。
【０１２９】
第１ビデオ信号の再生を開始した後、第１ビデオ信号の再生時刻が第１スキップ時刻（ＦＳ１）又は第１バックスキップ時刻（ＢＳ１）から予め定めた時間を経過するまでの間に、操作部６から指示信号の入力があり（ステップ６８）、当該指示信号がスキップ再生又はバックスキップ再生の指示でない場合（ステップ７１においてＮＯ）、当該指示信号が第１ビデオ信号を選択し再生開始の指示であるか否かを判別する（ステップ７２）。
【０１３０】
当該指示信号が第１ビデオ信号を選択し再生開始の指示である場合（ステップ７２においてＹＥＳ）、ステップ６９に移行し、ビデオ信号出力部５からの出力信号を合成ビデオ信号から第１ビデオ信号に切り替えディスプレイ９に第１ビデオ信号を出力し（ステップ６９）、出力用バッファメモリ５ａの第２ビデオ信号及び第３ビデオ信号のデータを消去し（ステップ７０）、図８に示すステップ６０に移行する。
【０１３１】
第１ビデオ信号の再生を開始した後、第１ビデオ信号の再生時刻が予め定めた時間をするまでの間に、操作部６から指示信号の入力があり（ステップ６８においてＹＥＳ）、当該指示信号が第１ビデオ信号の選択・再生開始の指示ではなく（ステップ７２においてＮＯ）、第２ビデオ信号を選択し再生開始の指示である場合（ステップ７３）、デコーダ４のデコーダバッファメモリ４ａのデータを消去し（ステップ７４）、ハードディスクドライブ３から第２スキップ時刻（ＦＳ２）又は第２バックスキップ時刻（ＢＳ２）から連続してＭＰＥＧデータを読み出しデコードし（ステップ７５）、デコードしたビデオ信号をビデオ信号出力部５からディスプレイ９に出力する（ステップ７６）。そして、ステップ２１に移行する。
【０１３２】
以上の処理により、ビデオ信号再生装置において、スキップキー又はバックスキップキーを押下した場合、スキップ時間をスキップした先の第１ビデオ信号が動画として表示され、第２スキップ時刻又は第２バックスキップ時刻の第２ビデオ信号が静止画として前記第１ビデオ信号と共に表示される。
【０１３３】
このことにより、視聴者は、スキップ再生によりスキップ時間をスキップした先の映像と、そのスキップ先に対し再生時刻が予め定めた時間後の映像とを同時に見ることができ、また、バツクスキップ再生によりスキップ時間をバックスキップした先の映像と、そのバックスキップ先の映像に対し再生時刻が予め定めた時間前の映像とを同時に見ることができるため、スキップ又はバックスキップした先の映像からスキップした位置の映像が希望するスキップ先か否かを判断することができる。また、スキップ再生によるスキップ先の映像とスキップ先の映像に対し予め定めた時間後の映像、または、バックスキップ再生によるバックスキップ先の映像とバックスキップ先の映像に対し予め定めた時間前の映像が希望するスキップ先に近いか否か、また、更にスキップする必要があるか否かを判別することができる。
【０１３４】
そして、スキップ再生又はバックスキップ再生において、スキップ先の映像に対し予め定めた時間後又はバックスキップ先の映像に対し予め定めた時間前の映像が表示されている時、すなわち、スキップした時刻から予め定めた時間の間に、再度スキップキーを押下すると、第１ビデオ信号（動画）の再生開始時点（第１スキップ時刻又は第１バックスキップ時刻）から新たにスキップ時間をスキップする。この例では再度スキップキーを押下された場合、第１スキップ時刻又は第１バックスキップ時刻から次のスキップ位置を算出するようにしているが、第１スキップ時刻又は第１バックスキップ時刻からではなく、再生中の時点から算出するようにしても構わない。また、再生開始キーを押下すると、その時点から第１ビデオ信号（動画）のみがディスプレイ９に表示される視聴を続けることができる。さらに、スキップ先の映像に対し予め定めた時間後又はバックスキップ先の映像に対し予め定めた時間後の映像が表示されている時に、第２ビデオ信号を選択し再生開始の指示をした場合には、選択した第２ビデオ信号からビデオ信号の再生が開始し、ディスプレイ９に動画が表示される。
【０１３５】
次に、ビデオ信号の再生中に視聴者が操作部６によりスキップ再生の操作をした場合に、スキップ先の映像に対し予め定めた時間後の時刻が再生中のビデオ信号の最後の時刻よりも後であった場合の動作と、バックスキップ再生の操作をした場合に、バックスキップ先の映像に対し予め定めた時間前の時刻が再生中のビデオ信号の最初の時刻よりも前であった場合の動作について説明する。
図１０は、スキップ先の映像に対し予め定めた時間後の時刻が再生中のビデオ信号の最後の時刻よりも後であった場合の動作と、バックスキップ先の映像に対し予め定めた時間前の時刻が再生中のビデオ信号の最初の時刻よりも前であった場合の本実施例のハードディスクレコーダから出力される合成ビデオ信号を説明する図である。
図１１は、本実施例のビデオ信号再生装置におけるスキップ再生又はバックスキップ再生の動作を示すフローチャートである。
【０１３６】
図１０（ａ）及び（ｂ）に示すように、視聴者が操作部６によりスキップ再生の操作が行われても、スキップ先の時刻から予め定めた時間（５秒）後の時刻に再生できるビデオ信号がない場合、スキップ先の時刻（第１スキップ時刻（ＦＳ１））のビデオ信号（第１ビデオ信号）のみが表示される。また、図５（ｃ）、（ｄ）に示すように、バックスキップ再生の操作が行われても、バックスキップ先の時刻から予め定めた時間（５秒）前の時刻に再生できるビデオ信号がない場合、バックスキップ先の時刻（第１バックスキップ時刻（ＢＳ１））のビデオ信号（第１ビデオ信号）のみが表示される。
【０１３７】
図１１において、制御部８は、操作部６からの指示信号の入力を監視する（ステップ８０）。視聴者が操作部６によりスキップ再生の操作を行うと、操作部６は、制御部８にスキップ再生の指示信号を出力し、バックスキップ再生の操作を行うと、操作部６は、制御部８にバックスキップ再生の指示信号を出力する。
【０１３８】
制御部８は、操作部６からスキップ再生又はバックスキップ再生の指示信号の入力があったときの再生中のビデオ信号の再生位置の時刻からスキップ時間スキップした先の再生位置の第１スキップ時刻（ＦＳ１）又は第１バックスキップ時刻（ＢＳ１）を算出する（ステップ８１）。制御部８は、第１スキップ時刻（ＦＳ１）又は第１バックスキップ時刻（ＢＳ１）を算出すると、第１スキップ時刻（ＦＳ１）又は第１バックスキップ時刻（ＢＳ１）に基づいて第２スキップ時刻（ＦＳ２）又は第２バックスキップ時刻（ＢＳ２）を算出する（ステップ８２）。
【０１３９】
制御部８は、算出された第２スキップ時刻（ＦＳ２）が再生中のビデオ信号の最後の位置の時刻（タイトルエンド時刻）、または、算出された第２バックスキップ時刻（ＢＳ２）が再生中のビデオ信号の最初の位置の時刻（タイトルビギン時刻）より前か後かを判断する（ステップ８３）。
【０１４０】
ここで、算出された第２スキップ時刻（ＦＳ２）が再生中のビデオ信号の最後の位置の時刻（タイトルエンド時刻）より前の場合、または、第２バックスキップ時刻（ＢＳ２）が再生中のビデオ信号の最初の位置の時刻（タイトルビギン時刻）より後の場合（ステップ８３においてＮＯ）、図８で示すステップ６３からステップ６７までの動作を行う。
【０１４１】
しかし、第２スキップ時刻（ＦＳ２）が再生中のビデオ信号の最後の位置の時刻(タイトルエンド時刻)より後の場合、又は、第２バックスキップ時刻（ＦＳ２）が再生中のビデオ信号の最初の位置の時刻(タイトルビギン時刻)より前の場合（ステップ８３においてＹＥＳ）、図８に示すステップ６６の処理、すなわち、スキップ先の第１スキップ時刻（ＦＳ１）又は第１バックスキップ時刻（ＢＳ１）のビデオ信号（第１ビデオ信号）のみを表示する（ステップ８４）。
【０１４２】
以上の動作により、スキップ先の時刻に対し予め定めた時間前又は予め定めた時間経過した後の再生位置の時刻の映像（静止画）がない場合は、その画像を表示しないことによって視聴者にこれ以上スキップ先がないことを判別しやすくなる。
【０１４３】
前述した第３の実施例では、スキップ再生又はバックスキップ再生の操作があった場合、第１ビデオ信号を動画として再生し、第２ビデオ信号を静止画として再生したが、第１ビデオ信号及び第２ビデオ信号を静止画としてディスプレイ９に表示させるようにしてもよい。
【０１４４】
次に、第４の実施例として、操作部６によりスキップ再生又はバックスキップ再生の指示があった場合に、ディスプレイ９に第１ビデオ信号及び第２ビデオ信号を静止画として表示させるビデオ信号再生装置について説明する。
【０１４５】
第４の実施例のビデオ信号再生装置は、ビデオ信号入力部１、エンコーダ２、ハードディスクドライブ３、デコーダ４、操作部６及び表示部７は、前述した実施例のビデオ信号再生装置の各部の処理と同じであり、制御部８のビデオ信号処理部５の動作が異なる。
【０１４６】
制御部８は、操作部６からスキップ再生又はバックスキップ再生の指示信号の入力があった場合、指示信号の入力があったときの再生位置の時刻から第１スキップ時刻（ＦＳ１）又は第１バックスキップ時刻（ＢＳ１）、第２スキップ時刻（ＦＳ２）又は第２バックスキップ時刻（ＢＳ２）を演算する。そして、制御部８は、ハードディスクドライブ３から第１スキップ時刻及び第２スキップ時刻のビデオ信号が含まれるそれぞれの１ＧＯＰのＭＰＥＧデータから、Ｉフレームのデータ（第１ＭＰＥＧデータ、第２ＭＰＥＧデータを読み出してデコーダ４に出力し、デコーダ４において第１ＭＰＥＧデータ及び第２ＭＰＥＧデータをデコードし、デコードした第１ビデオ信号及び第２ビデオ信号をビデオ信号出力部５の出力用バッファメモリ５ａに記憶する制御を行う。
【０１４７】
制御部８は、ビデオ信号出力部５を制御し、出力用バッファメモリ５ａに記憶されている第１ビデオ信号及び第２ビデオ信号を合成した合成ビデオ信号を生成させ、当該合成ビデオ信号をディスプレイ９に出力させる。
【０１４８】
制御部８は、スキップ再生又はバックスキップ再生の操作によりスキップした先の映像が表示された時刻から予め定めた時間（例えば、５秒）を計測するタイマを備える。制御部８は、スキップ再生又はバックスキップ再生の操作によりスキップした先の映像が表示された時刻から予め定めた時間経過するまでに、操作部６から何れかのビデオ信号が選択され再生開始の指示信号の入力があった場合、ハードディスクドライブ３から選択されたビデオ信号に連続するＭＰＥＧデータを読み出し、デコーダ４においてデコードし、ビデオ信号出力部５から出力されるビデオ信号を合成ビデオ信号から選択されたビデオ信号に切り替えてディスプレイ９に出力する制御を行う。
【０１４９】
ビデオ信号出力部５は、デコーダ４から出力されたビデオ信号にＮＴＳＣ方式の復調処理を施しアナログビデオ信号に変換し、接続されているディスプレイ９にビデオ信号を出力する。ビデオ信号出力部５は、デコーダ４から出力され、ＮＴＳＣ方式の復調処理が施され、アナログビデオ信号に変換されたビデオ信号を一時記憶する出力用バッファメモリ５ａを備える。
【０１５０】
ビデオ信号出力部５は、後述する制御部８の制御により、通常再生時には、デコーダ４から出力されたビデオ信号をＮＴＳＣ方式の復調処理を施しアナログビデオ信号に変換し、出力用バッファメモリ５ａに記憶せずにディスプレイ９に出力する。
【０１５１】
また、ビデオ信号出力部５は、制御部８の制御により、操作部６からスキップ再生又はバックスキップ再生の指示信号の入力があった場合、デコーダ４から出力された第１ビデオ信号、第２ビデオ信号にＮＴＳＣ方式の復調処理を施し、アナログビデオ信号に変換し、出力用バッファメモリ５ａに一時記憶し、出力用バッファメモリ５ａに第１ビデオ信号及び第２ビデオ信号を同時に表示させる合成ビデオ信号を作成し、当該合成ビデオ信号をディスプレイ９に出力する。
【０１５２】
ビデオ信号出力部５は、合成ビデオ信号を出力すると、制御部８に合成ビデオ信号を出力したことを通知する。ビデオ信号出力部５は、第１ビデオ信号及び第２ビデオ信号を静止画として表示させるために、出力用バッファメモリ５ａに記憶した第１ビデオ信号、第２ビデオ信号を繰り返し読み出す。
【０１５３】
ビデオ信号の再生中に、視聴者が操作部６によりスキップ再生又はバックスキップ再生の操作をした場合の動作について説明する。
図１２は、本発明のビデオ信号再生装置の第４の実施例におけるスキップ再生又はバックスキップ再生の指示から合成ビデオ信号の表示までの動作を示すフローチャートである。
図１３は、本発明のビデオ信号再生装置の第４の実施例における合成ビデオ信号の表示以降の動作を示すフローチャートである。
【０１５４】
まず、図１２において、制御部８は、操作部６からの指示信号の入力を監視する（ステップ９０）。視聴者が操作部６によりスキップ再生又はバックスキップ再生の操作を行うと、操作部６は、制御部８にスキップ再生又はバックスキップ再生の指示信号を出力する。
【０１５５】
制御部８は、スキップ再生又はバックスキップ再生の指示信号の入力があったときの再生中のビデオ信号の再生位置の時刻からスキップした先の第１スキップ時刻（ＦＳ１）又は第１バックスキップ時刻（ＢＳ１）を算出する（ステップ９１）。制御部８は、第１スキップ時刻（ＦＳ１）又は第１バックスキップ時刻（ＢＳ１）を算出すると、第１スキップ時刻（ＦＳ１）又は第１バックスキップ時刻（ＢＳ１）に基づいて第２スキップ時刻（ＦＳ２）又は第２バックスキップ時刻（ＢＳ２）を算出する（ステップ９２）。
【０１５６】
制御部８は、デコーダ４のデコーダバッファメモリ４ａに記憶されているデータを全て消去する（ステップ９３）。
【０１５７】
制御部８は、第１スキップ時刻（ＦＳ１）又は第１バックスキップ時刻（ＢＳ１）と第２スキップ時刻（ＦＳ２）又は第２バックスキップ時刻（ＢＳ２）に基づいて、ハードディスクドライブ３に記録されているＭＰＥＧデータの中から、第１スキップ時刻（ＦＳ１）又は第１バックスキップ時刻（ＢＳ１）を含む１ＧＯＰのＭＰＥＧデータから第１ＭＰＥＧデータと、第２スキップ時刻（ＦＳ２）又は第２バックスキップ時刻（ＢＳ２）を含む１ＧＯＰのＭＰＥＧデータから第２ＭＰＥＧデータを読み出し、デコーダ４によりデコードを行わせる（ステップ９４）。
【０１５８】
デコーダ４によりデコードされた第１ビデオ信号及び第２ビデオ信号は、ビデオ信号出力部５の出力用バッファメモリ５ａに記憶される（ステップ９５）。
【０１５９】
ビデオ信号出力部５は、出力用バッファメモリ５ａに記憶された第１ビデオ信号及び第２ビデオ信号を用いて合成ビデオ信号を生成し、ディスプレイ９に出力する（ステップ９６）。ディスプレイ９には、第１ビデオ信号及び第２ビデオ信号が静止画として表示される。
【０１６０】
次に、図１３において、制御部８は、スキップ再生又はバックスキップ再生の操作によりスキップ又はバックスキップした先の第１ビデオ信号及び第２ビデオ信号からなる合成ビデオ信号を表示した時刻から、タイマにより予め定めた時間を計測し、合成ビデオ信号を表示した時刻から予め定めた時間経過するまでの間に、操作部６からの指示信号の入力があるか否かを監視する（ステップ９７）。このとき、視聴者の操作は、スキップ再生の指示、バックスキップ再生の指示、再生開始の指示（第１スキップ時刻からの再生開始の指示）、第２スキップ時刻又は第２バックスキップ時刻からの再生開始の指示があり、視聴者に操作に基づいて操作部６は、入力された指示に対応する指示信号を制御部８に出力する。
【０１６１】
合成ビデオ信号を表示した時刻から予め定めた時間経過するまでの間に、操作部６からの指示信号の入力がない場合（ステップ９７においてＮＯ）、制御部８は、ハードディスクドライブ３から第１スキップ時刻（ＦＳ１）又は第１バックスキップ時刻（ＢＳ１）から連続してＭＰＥＧデータを読み出しデコードし（ステップ９８）、ビデオ信号出力部５からディスプレイ９にビデオ信号を出力する（ステップ９９）。このことにより、ディスプレイ９には、スキップ先の第１スキップ時刻（ＦＳ１）又は第１バックスキップ時刻（ＢＳ１）からの映像が動画として表示される。この後、ステップ９０に移行し、制御部８は、操作部６からスキップキー又はバックスキップキーの押下があるか否かを監視する。
【０１６２】
合成ビデオ信号を表示した時刻から予め定めた時間経過するまでの間に、操作部６から指示信号の入力があり（ステップ９７においてＹＥＳ）、当該指示信号がスキップ再生の指示又はバックスキップ再生の指示の場合（新たなスキップキー又はバックスキップキーの押下があった場合）、制御部８は、図１２に示すステップ９１以降の処理を行う（ステップ１００）。
【０１６３】
合成ビデオ信号を表示した時刻から予め定めた時間経過するまでの間に、操作部６から指示信号の入力があり（ステップ９７においてＹＥＳ）、当該指示信号がスキップ再生の指示又はバックスキップ再生の指示の場合でない場合（ステップ１００においてＮＯ）、当該指示信号が第１ビデオ信号を選択し再生開始の指示であるか否かを判別する（ステップ１０１）。
【０１６４】
当該指示信号が第１ビデオ信号を選択し再生開始の指示である場合（ステップ１０１においてＹＥＳ）、ハードディスクドライブ３から第１スキップ時刻（ＦＳ１）又は第１バックスキップ時刻（ＢＳ１）から連続してＭＰＥＧデータを読み出しデコードし（ステップ９８）、ビデオ信号出力部５からディスプレイ９にビデオ信号を出力する（ステップ９９）、図１２に示すステップ９１に移行する。
【０１６５】
合成ビデオ信号を表示した時刻から予め定めた時間経過するまでの間に、操作部６から指示信号の入力があり（ステップ９７においてＹＥＳ）、当該指示信号がスキップ再生の指示又はバックスキップ再生の指示でなく（ステップ１００においてＮＯ）、また、第１ビデオ信号を選択する指示でなく（ステップ１０１においてＮＯ）、第２ビデオ信号を選択し再生開始の指示である場合（ステップ１０２においてＹＥＳ）、ハードディスクドライブ３から第２スキップ時刻から連続してＭＰＥＧデータを読み出しデコードし（ステップ１０３）、デコードしたビデオ信号をビデオ信号出力部５からディスプレイ９に出力する（ステップ１０４）。そして、図１２に示すステップ９１に移行する。
【０１６６】
以上の処理により、ハードディスクレコーダにおいて、スキップキー又はバックスキップキーを押下した場合、スキップ時間をスキップした先の第１スキップ時刻又は第１バックスキップ時刻の第１ビデオ信号、第１スキップ時刻に対し予め定めた時間後の第２スキップ時刻又は第１バックスキップ時刻に対して予め定めた時間前の第２バックスキップ時刻の第２ビデオ信号が静止画としてディスプレイに表示される。
【０１６７】
このことにより、視聴者は、スキップ再生によりスキップ時間をスキップした先の映像と、そのスキップ先の映像に対し再生時刻が予め定めた時間前又は予め定めた時間後の映像とを同時に見ることができ、また、バックスキップ再生によりスキップ時間をバックスキップした先の映像と、そのバックスキップ先の映像に対し再生時刻が予め定めた時間前の映像とを同時に見ることができるため、スキップ又はバックスキップした先の映像からスキップした先が希望するスキップ先か否か、更にスキップする必要があるか否かを判断することができる。また、スキップ再生によるスキップ先の映像とスキップ先の映像に対し予め定めた時間後の映像、または、バックスキップ再生によるバックスキップ先の映像とバックスキップ先の映像に対し予め定めた時間前の映像が希望するスキップ先に近いか否か、また、更にスキップする必要があるか否かを判別することができる。
【０１６８】
そして、スキップ先の映像とスキップ先の映像に対し再生時刻が予め定めた時間後の映像、或いは、バックスキップ先の映像とバックスキップ先の映像に対し予め定めた時間前の映像が表示されている時に、再度スキップキー又はバックスキップキーを押下すると、第１スキップ時刻又は第１バックスキップ時刻から新たにスキップ時間をスキップする。また、再生開始キーを押下すると、その時点から第１ビデオ信号がディスプレイ９に表示される。また、スキップ先の映像とスキップ先の映像に対し再生時刻が予め定めた時間後の映像、或いは、バックスキップ先の映像とバックスキップ先の映像に対し予め定めた時間前の映像が表示されている時に、第２ビデオ信号を選択し再生開始の指示をした場合には、選択した第２ビデオ信号からビデオ信号の再生が開始し、ディスプレイ９に動画が表示される。
【０１６９】
前述した実施例においては、スキップ再生又はバックスキップ再生の操作を行うと、ディスプレイに第１ビテオ信号及び第２ビテオ信号とからなる合成ビデオ信号が表示されるものとしたが、視聴者による操作部６を用いた設定により、通常のスキップ再生又はバックスキップ再生、すなわちスキップ先又はバックスキップ先のビデオ信号が再生されるスキップ再生と、前述したスキップ再生又はバックスキップ再生とを選択できるようにしてもよい。
【図面の簡単な説明】
【０１７０】
【図１】本発明のビデオ信号再生装置の第１の実施例の概略構成を示す図。
【図２】本実施例のハードディスクレコーダから出力される合成ビデオ信号を説明する図。
【図３】本実施例のハードディスクレコーダにおけるスキップ再生の指示から合成ビデオ信号の表示までの動作を示すフローチャート。
【図４】本実施例のハードディスクレコーダにおける合成ビデオ信号の表示以降の動作を示すフローチャート。
【図５】本発明のビデオ信号再生装置の第１の実施例におけるスキップ再生の指示から合成ビデオ信号の表示までの動作を示すフローチャート。
【図６】本発明のビデオ信号再生装置の第２の実施例における合成ビデオ信号の表示以降の動作を示すフローチャート。
【図７】本実施例のビデオ信号再生装置におけるスキップ再生時又はバックスキップ再生時の動作を説明する図。
【図８】本実施例のビデオ信号再生装置におけるスキップ再生又はバックスキップ再生の指示から合成ビデオ信号の表示までの動作を示すフローチャート。
【図９】本実施例のビデオ信号再生装置における合成ビデオ信号の表示以降の動作を示すフローチャート。
【図１０】スキップ先の映像に対し予め定めた時間後の時刻が再生中のビデオ信号の最後の時刻よりも後であった場合の動作と、バックスキップ先の映像に対し予め定めた時間前の時刻が再生中のビデオ信号の最初の時刻よりも前であった場合の本実施例のハードディスクレコーダから出力される合成ビデオ信号を説明する図。
【図１１】本実施例のビデオ信号再生装置におけるスキップ再生又はバックスキップ再生の動作を示すフローチャート。
【図１２】本発明のビデオ信号再生装置の第４の実施例におけるスキップ再生又はバックスキップ再生の指示から合成ビデオ信号の表示までの動作を示すフローチャートである。
【図１３】本発明のビデオ信号再生装置の第４の実施例における合成ビデオ信号の表示以降の動作を示すフローチャート。
【符号の説明】
【０１７１】
１・・・ビデオ信号入力部、２・・・エンコーダ、２ａ・・・エンコーダバッファメモリ、３・・・ハードディスクドライブ、４・・・デコーダ、４ａ・・・デコーダバッファメモリ、５・・・ビデオ信号出力部、５ａ・・・出力用バッファメモリ、６・・・操作部、７・・・表示部、８・・・制御部。
【図１】
2005253039.tif 000003
【図２】
2005253039.tif 000004
【図３】
2005253039.tif 000005
【図４】
2005253039.tif 000006
【図５】
2005253039.tif 000007
【図６】
2005253039.tif 000008
【図７】
2005253039.tif 000009
【図８】
2005253039.tif 000010
【図９】
2005253039.tif 000011
【図１０】
2005253039.tif 000012
【図１１】
2005253039.tif 000013
【図１２】
2005253039.tif 000014
【図１３】
2005253039.tif 000015